(57)【要約】音楽配信システム１０は、通信網１１を介して音楽に関する情報である音楽情報を配信することができる音楽配信サーバ２０と、音楽配信サーバ２０によって配信される音楽情報を受信し受信した音楽情報を記憶するとともに音楽情報を出力することができる音楽用情報端末装置３０とを備え、音楽用情報端末装置３０に記憶された音楽情報を読み出して音楽情報記憶媒体４０に書き込み、音楽情報記憶媒体４０に書き込まれた音楽情報を音楽情報出力装置５０を用いて出力することができる。
2002041297.tif 000002
【特許請求の範囲】
【請求項１】
通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを備え、
前記音楽用情報端末装置に記憶された音楽情報を読み出して音楽情報記憶媒体に書き込み、該音楽情報記憶媒体に書き込まれた音楽情報を音楽情報出力装置を用いて出力することを特徴とする音楽配信システム。
【請求項２】
音楽用情報端末装置は受信した音楽情報を記憶する音楽情報記憶手段を備え、
音楽配信サーバは、音楽用情報端末装置を識別する端末装置識別手段および音楽用情報端末装置の音楽情報記憶手段を識別する記憶手段識別手段を備えることを特徴とする請求項１記載の音楽配信システム。
【請求項３】
音楽用情報端末装置は、受信した音楽情報を識別する音楽情報識別手段および音楽情報が記憶された音楽情報記憶手段を識別する記憶手段識別手段を備えることを特徴とする請求項１または２に記載の音楽配信システム。
【請求項４】
音楽情報出力装置は、音楽情報が書き込まれた音楽情報記憶媒体を識別する記憶媒体識別手段および音楽情報記憶媒体に書き込まれた音楽情報を識別する音楽情報識別手段を備えることを特徴とする請求項１〜３のいずれか１項に記載の音楽配信システム。
【請求項５】
音楽配信サーバは、複数の音楽用情報端末装置の中から音楽情報を配信する音楽用情報端末装置を選択して、選択した音楽用情報端末装置に音楽情報を配信することができることを特徴とする請求項１〜４のいずれか１項に記載の音楽配信システム。
【請求項６】
音楽用情報端末装置は、音楽情報記憶手段に記憶された音楽情報のうち、読み出され音楽情報記憶媒体に書き込まれた音楽情報に関する情報を含む端末装置情報を、通信網を介して音楽配信サーバに送信することができることを特徴とする請求項１〜５のいずれか１項に記載の音楽配信システム。
【請求項７】
音楽配信サーバが配信する音楽情報、音楽用情報端末装置の音楽情報記憶手段に記憶される音楽情報、音楽情報記憶媒体に書き込まれる音楽情報および音楽用情報端末装置が音楽配信サーバに送信する端末装置情報のうち少なくとも１つは、暗号化処理および圧縮処理のうち少なくとも１方の処理が施されていることを特徴とする請求項１〜６のいずれか１項に記載の音楽配信システム。
【請求項８】
音楽用情報端末装置は、音楽用情報端末装置に記憶された音楽情報を読み出して音楽情報記憶媒体に書き込む際に音楽情報記憶媒体が直接または間接的に接続されるコネクタを備えることを特徴とする請求項１〜７のいずれか１項に記載の音楽配信システム。
【請求項９】
通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを用い、前記音楽用情報端末装置に記憶された音楽情報を読み出して音楽情報記憶媒体に書き込み、該音楽情報記憶媒体に書き込まれた音楽情報を音楽情報出力装置を用いて出力することを特徴とする音楽配信方法。
【請求項１０】
音楽用情報端末装置は受信した音楽情報を記憶する音楽情報記憶手段を備え、
音楽配信サーバは、音楽用情報端末装置を識別する端末装置識別手段および音楽用情報端末装置の音楽情報記憶手段を識別する記憶手段識別手段を備えることを特徴とする請求項９記載の音楽配信方法。
【請求項１１】
音楽用情報端末装置は、受信した音楽情報を識別する音楽情報識別手段および音楽情報が記憶された音楽情報記憶手段を識別する記憶手段識別手段を備えることを特徴とする請求項９または１０に記載の音楽配信方法。
【請求項１２】
音楽情報出力装置は、音楽情報が書き込まれた音楽情報記憶媒体を識別する記憶媒体識別手段および音楽情報記憶媒体に書き込まれた音楽情報を識別する音楽情報情報識別手段を備えることを特徴とする請求項９〜１１のいずれか１項に記載の音楽配信方法。
【請求項１３】
音楽配信サーバは、複数の音楽用情報端末装置の中から音楽情報を配信する音楽用情報端末装置を選択して、選択した音楽用情報端末装置に音楽情報を配信することができることを特徴とする請求項９〜１２のいずれか１項に記載の音楽配信方法。
【請求項１４】
音楽用情報端末装置は、音楽情報記憶手段に記憶された音楽情報のうち、読み出され音楽情報記憶媒体に書き込まれた音楽情報に関する情報を含む端末装置情報を、通信網を介して音楽配信サーバに送信することができることを特徴とする請求項９〜１３のいずれか１項に記載の音楽配信方法。
【請求項１５】
通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを用い、前記音楽用情報端末装置に記憶された音楽情報を読み出して音楽情報記憶媒体に書き込み、該音楽情報記憶媒体に書き込まれた音楽情報を音楽情報出力装置を用いて出力する音楽配信方法であって、
音楽配信サーバが配信する音楽情報を選定するステップである第１の音楽情報選定ステップと、
第１の音楽情報選定ステップにおいて選定された音楽情報を配信する配信先である音楽用情報端末装置を選定するステップである配信端末選定ステップと、
第１の音楽情報選定ステップにおいて選定された音楽情報を、選定された音楽用情報端末装置に配信するステップである音楽情報配信ステップと、
音楽配信サーバから配信された音楽情報を音楽用情報端末装置が備える音楽情報記憶手段に記憶するステップである音楽情報記憶ステップと、
音楽情報記憶手段に記憶された音楽情報を少なくとも音響データ、画像データおよび文字データのいずれか１つ以上を含む音楽情報として出力するステップである第１の音楽情報出力ステップと、
音楽情報記憶手段に記憶された音楽情報のうち読み出す音楽情報を選定するステップである第２の音楽情報選定ステップと、
第２の音楽情報選定ステップにおいて選定された音楽情報を音楽情報記憶手段から読み出して、読み出した音楽情報を音楽情報記憶媒体に書き込むステップである音楽情報書き込みステップと、
音楽情報書き込みステップにおいて音楽情報記憶媒体に書き込まれた音楽情報に関する情報を含む端末装置情報を音楽配信サーバに送信するステップである端末装置情報送信ステップと、
音楽情報記憶媒体に書き込まれた音楽情報を音楽情報出力装置を用いて出力するステップである第２の音楽情報出力ステップとを含むことを特徴とする音楽配信方法。
【請求項１６】
通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを用い、前記音楽用情報端末装置に記憶された音楽情報を読み出して音楽情報記憶媒体に書き込み、該音楽情報記憶媒体に書き込まれた音楽情報を音楽情報出力装置を用いて出力する音楽配信方法であって、
音楽配信サーバが配信する音楽情報を選定するステップである第１の音楽情報選定ステップと、
第１の音楽情報選定ステップにおいて選定された音楽情報を配信する配信先である音楽用情報端末装置を選定するステップである配信端末選定ステップと、
配信端末選定ステップにおいて選定された音楽用情報端末装置が、音楽情報を配信すべき音楽用情報端末装置であることを確認するステップである端末装置確認ステップと、
配信する音楽情報が記憶される音楽情報記憶媒体が、音楽情報を記憶すべき音楽情報記憶手段であることを確認するステップである第１の記憶手段確認ステップと、
第１の音楽情報選定ステップにおいて選定された音楽情報を、選定された音楽用情報端末装置に配信するステップである音楽情報配信ステップと、
音楽配信サーバから配信された音楽情報を音楽用情報端末装置が備える音楽情報記憶手段に記憶するステップである音楽情報記憶ステップと、
音楽情報記憶手段に記憶された音楽情報が、音楽配信サーバから配信された音楽情報であることを確認するステップである第１の音楽情報確認ステップと、
音楽情報記憶手段が、音楽配信サーバから配信された音楽情報を記憶する際に用いられた音楽情報記憶手段であることを確認するステップである第２の記憶手段確認ステップと、
音楽情報記憶手段に記憶された音楽情報を少なくとも音響データ、画像データおよび文字データのいずれか１つ以上を含む音楽情報として出力するステップである第１の音楽情報出力ステップと、
音楽情報記憶手段に記憶された音楽情報のうち読み出す音楽情報を選定するステップである第２の音楽情報選定ステップと、
第２の音楽情報選定ステップにおいて選定された音楽情報を音楽情報記憶手段から読み出して、読み出した音楽情報を音楽情報記憶媒体に書き込むステップである音楽情報書き込みステップと、
音楽情報書き込みステップにおいて音楽情報記憶媒体に書き込まれた音楽情報に関する情報を含む端末装置情報を音楽配信サーバに送信するステップである端末装置情報送信ステップと、
音楽情報記憶媒体に書き込まれた音楽情報が、音楽情報書き込みステップにおいて音楽情報記憶媒体に書き込まれた音楽情報であることを確認するステップである第２の音楽情報確認ステップと、
音楽情報が書き込まれた音楽情報記憶媒体が、音楽情報書き込みステップにおいて音楽情報が書き込まれた音楽情報記憶媒体であることを確認するステップである記憶媒体確認ステップと、
音楽情報記憶媒体に書き込まれた音楽情報を音楽情報出力装置を用いて出力するステップである第２の音楽情報出力ステップとを含むことを特徴とする音楽配信方法。
【請求項１７】
音楽配信サーバが配信する音楽情報、音楽用情報端末装置の音楽情報記憶手段に記憶される音楽情報、音楽情報記憶媒体に書き込まれる音楽情報および音楽用情報端末装置が音楽配信サーバに送信する端末装置情報のうち少なくとも１つは、暗号化処理および圧縮処理のうち少なくとも１方の処理が施されていることを特徴とする請求項９〜１６のいずれか１項に記載の音楽配信方法。
【請求項１８】
音楽用情報端末装置は、音楽用情報端末装置に記憶された音楽情報を読み出して音楽情報記憶媒体に書き込む際に音楽情報記憶媒体が直接または間接的に接続されるコネクタを備えることを特徴とする請求項９〜１７のいずれか１項に記載の音楽配信方法。
【請求項１９】
通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを用い、前記音楽用情報端末装置に記憶された音楽情報を読み出して音楽情報記憶媒体に書き込み、該音楽情報記憶媒体に書き込まれた音楽情報を音楽情報出力装置を用いて出力する音楽配信方法において用いられる音楽用情報端末装置であって、
音楽配信サーバから配信される音楽情報を受信する受信手段と、
受信した音楽情報を記憶する記憶手段と、
記憶手段に記憶された音楽情報を、少なくとも音響データ、画像データおよび文字データのいずれか１つ以上を含む音楽情報として出力する出力手段と、
記憶手段に記憶された音楽情報のうち読み出す音楽情報を選定する音楽情報選定手段と、
選定された音楽情報を読み出す音楽情報読み出し手段と、
読み出された音楽情報を音楽情報記憶媒体に書き込む音楽情報書き込み手段と、
音楽情報記憶媒体に書き込まれた音楽情報に関する情報を含む端末装置情報を音楽配信サーバに送信する送信手段とを含むことを特徴とする音楽用情報端末装置。
【請求項２０】
音楽用情報端末装置は、受信した音楽情報を識別する音楽情報識別手段および音楽情報が記憶された音楽情報記憶手段を識別する記憶手段識別手段を備えることを特徴とする請求項１９記載の音楽用情報端末装置。
【請求項２１】
音楽用情報端末装置は、音楽用情報端末装置に記憶された音楽情報を音楽情報記憶媒体に書き込む際に音楽情報記憶媒体が直接または間接的に接続されるコネクタを備えることを特徴とする請求項１９または２０に記載の音楽用情報端末装置。
【発明の詳細な説明】
【技術分野】
本発明は、公衆電話回線などの通信網を介して音楽に関する情報である音楽情報を配信する音楽配信システムおよび音楽情報配信方法に関する。また本発明は、前記音楽配信システムおよび音楽情報配信方法に適用される音楽用情報端末装置に関する。
【背景技術】
いわゆるインターネット関連技術の発達および普及によって、通信網を介して楽曲および楽音などをデジタルデータに変換して送受信することによって楽曲および楽音などを配信する音楽配信が行われている。このような先行技術は、配信するたとえば楽曲をデジタルデータに変換し、通常はデータ圧縮処理を施してデータサイズを小さくした上で、配信先である通信機能を備えた、たとえばパーソナルコンピュータ（ＰＣ）に送信する。具体的には、音楽配信を受ける者の指定するインターネット上のメールアドレス等に配信するデジタルデータを送信する。受信したデジタルデータを音響出力機能を備えたＰＣ、デジタルオーディオプレーヤなどを用いて音響信号として出力し、楽曲を聴くことができる。
音楽配信において送受信される楽曲等は音楽著作物であるので、楽曲等の作曲者、演奏者等に係る著作権を保護する必要があるけれども、著作権を保護するための対策を講じなければ、著作権を保護することは困難であって、先行技術の音楽配信においては配信されるデジタルデータの送受信時においては著作権を保護するために、データの暗号化処理等を用いることによって著作権保護を図っているけれども、受信された後のデータの取り扱いに関しては、充分な著作権保護が実現されていない。
また先行技術の音楽配信においては、配信される楽曲等の対価として支払われるべき料金の支払方法に関しては、クレジットカード等を利用したいわゆるオンライン決済が行われているけれども、クレジットカードを用いたオンライン決済は、クレジットカードおよびクレジットカードの所有者に関する情報の守秘性に不安を感じ、オンライン決済を望まない者が存在する。このような者は、料金を銀行等の金融機関を利用して、楽曲等の提供者の指定する口座等に振り込む等の方法を採るけれども、金融機関に出向く必要があり、煩雑である。
さらに先行技術の音楽配信においては、音楽配信が音楽配信を受ける者に対して区々に行われるので、伝送されるデータ量が多くなり、通信網の通信負荷が増大する。
さらにまた先行技術の音楽配信においては、一般的には個人向けに音楽配信が行われるので、楽曲等に関する販売促進情報を広範に告知することができない。
したがって本発明の目的は、音楽配信において送受信される楽曲等に関する著作権を確実に保護するとともに、著作権料の管理を容易に行うことができる音楽配信システム、音楽情報配信方法および音楽用情報端末装置を提供することである。
また本発明の他の目的は、通信網を介して行われる音楽配信において支払われるべき楽曲等の対価である料金の支払いを不安を感じることなく、簡単な方法で行うことができるとともに確実に料金を徴収することができる音楽配信システム、音楽情報配信方法および音楽用情報端末装置を提供することである。
さらにまた本発明の他の目的は、通信網を介して行われる音楽配信において伝送されるデータ量を少なくし、通信網の通信負荷を低減することができる音楽配信システム、音楽情報配信方法および音楽用情報端末装置を提供することである。
さらにまた本発明に他の目的は、多くの人々に楽曲等に関する販売促進情報を含む音楽情報を告知することができる音楽配信システム、音楽情報配信方法および音楽用情報端末装置を提供することである。
【本発明の開示】
請求項１記載の本発明は、通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを備え、
前記音楽用情報端末装置に記憶された音楽情報を読み出して音楽情報記憶媒体に書き込み、該音楽情報記憶媒体に書き込まれた音楽情報を音楽情報出力装置を用いて出力することを特徴とする音楽配信システムである。
請求項１記載の本発明に従えば、音楽配信システムは、通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを備え、前記音楽用情報端末装置に記憶された音楽情報を読み出して音楽情報記憶媒体に書き込み、該音楽情報記憶媒体に書き込まれた音楽情報を音楽情報出力装置を用いて出力することができる。
音楽配信サーバは公衆電話回線などの通信網を介して各種音楽情報を配信するので、楽曲および楽音等の音響データ、たとえばプロモーションビデオ（ＰＶ）等の楽曲に関する販売促進用の音響データおよび画像データならびに各種イベント情報等の各種音楽情報を音楽用情報端末装置に配信することができる。
音楽用情報端末装置は音楽配信サーバから配信される音楽情報を受信して、受信した音楽情報を音楽用情報端末装置に備えられたハードディスクなどの音楽情報記憶手段に記憶し、たとえば音楽用情報端末装置の設置された店舗内において、各種音楽情報に含まれるＰＶ等の楽曲に関する販売促進用の音響データおよび画像データならびに各種イベント情報等の各種音楽情報を放映または表示させることができる。また配信された楽曲等を購入しようとする顧客に、楽曲を視聴させることができる。
楽曲を購入しようとする顧客は、たとえばコンパクトディスク、スマートメディア、メモリースティック等の音楽情報記憶媒体を音楽用情報端末装置に装着し、音楽情報記憶手段から読み出した音楽情報を前記音楽情報記憶媒体に書き込み、この音楽情報記憶媒体を音楽情報出力装置に装着して、音楽情報記憶媒体に書き込まれたデジタルデータ化された楽曲などの音楽情報を再生して、楽曲を聴くことができる。
また請求項２記載の本発明は、音楽用情報端末装置は受信した音楽情報を記憶する音楽情報記憶手段を備え、
音楽配信サーバは、音楽用情報端末装置を識別する端末装置識別手段および音楽用情報端末装置の音楽情報記憶手段を識別する記憶手段識別手段を備えることを特徴とする。
請求項２記載の本発明に従えば、音楽用情報端末装置は受信した音楽情報を記憶する音楽情報記憶手段を備え、音楽配信サーバは音楽用情報端末装置を識別する端末装置識別手段および音楽用情報端末装置の音楽情報記憶手段を識別する記憶手段識別手段を備えるので、音楽配信サーバは音楽情報の配信先である音楽用情報端末装置および音楽用情報端末装置の音楽情報記憶手段を認識することができる。したがって予め定められた音楽用情報端末装置および音楽情報記憶手段にだけ音楽情報が配信されることになるので、音楽情報が配信されるべき正規の音楽用端末情報装置および音楽情報記憶手段に音楽情報が配信され、たとえば音楽情報の不正受信を防止できる。
さらに請求項３記載の本発明は、音楽用情報端末装置は、受信した音楽情報を識別する音楽情報識別手段および音楽情報が記憶された音楽情報記憶手段を識別する記憶手段識別手段を備えることを特徴とする。
請求項３記載の本発明に従えば、音楽用情報端末装置は受信した音楽情報を識別する音楽情報識別手段および音楽情報が記憶された音楽情報記憶手段を識別する記憶手段識別手段を備えるので、音楽用情報端末装置は配信された音楽情報および音楽情報が記憶される音楽情報記憶手段を認識することができる。したがってたとえば特定の音楽用情報端末装置によって受信された音楽情報または特定の音楽情報記憶手段に記憶された音楽情報を他の音楽用情報端末装置を用いては出力できないように設定することができる。
さらにまた請求項４記載の本発明は、音楽情報出力装置は、音楽情報が書き込まれた音楽情報記憶媒体を識別する記憶媒体識別手段および音楽情報記憶媒体に書き込まれた音楽情報を識別する音楽情報識別手段を備えることを特徴とする。
請求項４記載の本発明に従えば、音楽情報出力装置は音楽情報が書き込まれた音楽情報記憶媒体を識別する記憶媒体識別手段および音楽情報記憶媒体に書き込まれた音楽情報を識別する音楽情報識別手段を備えるので、音楽情報出力装置は音楽情報が書き込まれた音楽情報記憶媒体および音楽情報記憶媒体に書き込まれた音楽情報を認識することができる。したがって、たとえば特定の音楽情報記憶媒体または特定の音楽情報を他の音楽用情報出力装置を用いては出力できないように設定することができる。
さらにまた請求項５記載の本発明は、音楽配信サーバは、複数の音楽用情報端末装置の中から音楽情報を配信する音楽用情報端末装置を選択して、選択した音楽用情報端末装置に音楽情報を配信することができることを特徴とする。
請求項５記載の本発明に従えば、音楽配信サーバは複数の音楽用情報端末装置の中から音楽情報を配信する音楽用情報端末装置を選択して、選択した音楽用情報端末装置に音楽情報を配信することができるので、特定の音楽用情報端末装置に特定の音楽情報を配信することができる。したがって、たとえば特定の地域において開催されるイベントに関するイベント情報等のように、特定の地域の顧客にだけ有効な音楽情報を、特定の地域に設置されている音楽用情報端末装置に配信することができ、その特定の地域の顧客に有用な音楽情報を配信することができる。すなわち効率のよい告知効果の高い音楽情報の配信を実現することができる。
さらにまた請求項６記載の本発明は、音楽用情報端末装置は、音楽情報記憶手段に記憶された音楽情報のうち、読み出され音楽情報記憶媒体に書き込まれた音楽情報に関する情報を含む端末装置情報を、通信網を介して音楽配信サーバに送信することができることを特徴とする。
請求項６記載の本発明に従えば、音楽用情報端末装置は音楽情報記憶手段に記憶された音楽情報のうち、読み出され音楽情報記憶媒体に書き込まれた音楽情報に関する情報を含む端末装置情報を、通信網を介して音楽配信サーバに送信することができるので、読み出され音楽情報記憶媒体に書き込まれた音楽情報である特定の楽曲に関する売り上げ金額等である端末装置情報を音楽配信サーバに送信することができる。送信された端末装置情報を音楽配信サーバまたは他の情報処理装置を利用して処理を行い、売り上げ金額の集計を行うことができる。また読み出され音楽情報記憶媒体に書き込まれた音楽情報である特定の楽曲に関する著作権料の管理を容易に行うことができる。
さらにまた請求項７記載の本発明は、音楽配信サーバが配信する音楽情報、音楽用情報端末装置の音楽情報記憶手段に記憶される音楽情報、音楽情報記憶媒体に書き込まれる音楽情報および音楽用情報端末装置が音楽配信サーバに送信する端末装置情報のうち少なくとも１つは、暗号化処理および圧縮処理のうち少なくとも１方の処理が施されていることを特徴とする。
請求項７記載の本発明に従えば、音楽配信サーバが配信する音楽情報、音楽用情報端末装置の音楽情報記憶手段に記憶される音楽情報、音楽情報記憶媒体に書き込まれる音楽情報および音楽用情報端末装置が音楽配信サーバに送信する端末装置情報のうち少なくとも１つは、暗号化処理および圧縮処理のうち少なくとも１方の処理が施されているので、音楽配信における音楽情報の送信の際のデータサイズを小さくすることができ、または音楽配信における音楽情報の送信の際に音楽情報が漏洩した場合であっても、暗号化された音楽情報が解読され復号されない限り、楽曲などの音楽著作物が不正に再生され、利用されることを防止できる。
さらにまた請求項８記載の本発明は、音楽用情報端末装置は、音楽用情報端末装置に記憶された音楽情報を読み出して音楽情報記憶媒体に書き込む際に音楽情報記憶媒体が直接または間接的に接続されるコネクタを備えることを特徴とする。
請求項８記載の本発明に従えば、音楽用情報端末装置は音楽用情報端末装置に記憶された音楽情報を読み出して音楽情報記憶媒体に書き込む際に音楽情報記憶媒体が直接または間接的に接続されるコネクタを備えるので、異なる形状のコネクタを有する音楽情報記憶媒体に音楽情報を書き込むことができる。たとえば、音楽用情報端末装置に備えられたコネクタと接続できる形状のコネクタを備えた音楽情報記憶媒体に音楽情報を書き込む場合には、音楽用情報端末装置のコネクタに音楽情報記憶媒体のコネクタを直接接続し、音楽情報を音楽情報記憶媒体に書き込むことができる。音楽用情報端末装置に備えられたコネクタと直接接続できない形状のコネクタを備えた音楽情報記憶媒体に音楽情報を書き込む場合には、音楽用情報端末装置のコネクタに接続できるコネクタおよび音楽情報記憶媒体のコネクタに直接接続できる形状の他のコネクタを有するアダプタを、音楽用情報端末装置のコネクタと音楽情報記憶媒体のコネクタとの間に設置し、音楽用情報端末装置と音楽情報記憶媒体とを前述のようなアダプタを介して間接的に接続し、音楽情報を音楽情報記憶媒体に書き込むことができる。すなわち音楽用情報端末装置の音楽情報記憶手段に記憶された音楽情報を、簡単な操作で異なる形状のコネクタを有する種々の音楽情報記憶媒体に書き込むことができる。
さらにまた請求項９記載の本発明は、通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを用い、前記音楽用情報端末装置に記憶された音楽情報を読み出して音楽情報記憶媒体に書き込み、該音楽情報記憶媒体に書き込まれた音楽情報を音楽情報出力装置を用いて出力することを特徴とする音楽配信方法である。
請求項９記載の本発明に従えば、通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを用い、前記音楽用情報端末装置に記憶された音楽情報を読み出して音楽情報記憶媒体に書き込み、該音楽情報記憶媒体に書き込まれた音楽情報を音楽情報出力装置を用いて出力することができる。
音楽配信サーバは公衆電話回線などの通信網を介して各種音楽情報を配信するので、楽曲および楽音等の音響データ、たとえばＰＶ等の楽曲に関する販売促進用の音響データおよび画像データならびに各種イベント情報等の各種音楽情報を音楽用情報端末装置に配信することができる。
音楽用情報端末装置は音楽配信サーバから配信される音楽情報を受信して、受信した音楽情報を音楽用情報端末装置に備えられたハードディスクなどの音楽情報記憶手段に記憶し、たとえば音楽用情報端末装置の設置された店舗内において、各種音楽情報に含まれるＰＶ等の楽曲に関する販売促進用の音響データおよび画像データならびに各種イベント情報等の各種音楽情報を放映または表示させることができる。また配信された楽曲等を購入しようとする顧客に、楽曲を視聴させることができる。
楽曲を購入しようとする顧客は、たとえばコンパクトディスク、スマートメディア、メモリースティック等の音楽情報記憶媒体を音楽用情報端末装置に装着し、音楽情報記憶手段から読み出した音楽情報を前記音楽情報記憶媒体に書き込み、この音楽情報記憶媒体を音楽情報出力装置に装着して、音楽情報記憶媒体に書き込まれたデジタルデータ化された楽曲などの音楽情報を再生して、楽曲を聴くことができる。
さらにまた請求項１０記載の本発明は、音楽用情報端末装置は受信した音楽情報を記憶する音楽情報記憶手段を備え、
音楽配信サーバは、音楽用情報端末装置を識別する端末装置識別手段および音楽用情報端末装置の音楽情報記憶手段を識別する記憶手段識別手段を備えることを特徴とする。
請求項１０記載の本発明に従えば、音楽用情報端末装置は受信した音楽情報を記憶する音楽情報記憶手段を備え、音楽配信サーバは音楽用情報端末装置を識別する端末装置識別手段および音楽用情報端末装置の音楽情報記憶手段を識別する記憶手段識別手段を備えるので、音楽配信サーバは音楽情報の配信先である音楽用情報端末装置および音楽用情報端末装置の音楽情報記憶手段を認識することができる。したがって予め定められた音楽用情報端末装置および音楽情報記憶手段にだけ音楽情報が配信されることになるので、音楽情報が配信されるべき正規の音楽用端末情報装置および音楽情報記憶手段に音楽情報が配信され、たとえば音楽情報の不正受信を防止できる。
さらにまた請求項１１記載の本発明は、音楽用情報端末装置は、受信した音楽情報を識別する音楽情報識別手段および音楽情報が記憶された音楽情報記憶手段を識別する記憶手段識別手段を備えることを特徴とする。
請求項１１記載の本発明に従えば、音楽用情報端末装置は受信した音楽情報を識別する音楽情報識別手段および音楽情報が記憶された音楽情報記憶手段を識別する記憶手段識別手段を備えるので、音楽用情報端末装置は配信された音楽情報および音楽情報が記憶される音楽情報記憶手段を認識することができる。したがってたとえば特定の音楽用情報端末装置によって受信された音楽情報または特定の音楽情報記憶手段に記憶された音楽情報を他の音楽用情報端末装置を用いては出力できないように設定することができる。
さらにまた請求項１２記載の本発明は、音楽情報出力装置は、音楽情報が書き込まれた音楽情報記憶媒体を識別する記憶媒体識別手段および音楽情報記憶媒体に書き込まれた音楽情報を識別する音楽情報識別手段を備えることを特徴とする。
請求項１２記載の本発明に従えば、音楽情報出力装置は音楽情報が書き込まれた音楽情報記憶媒体を識別する記憶媒体識別手段および音楽情報記憶媒体に書き込まれた音楽情報を識別する音楽情報識別手段を備えるので、音楽情報出力装置は音楽情報が書き込まれた音楽情報記憶媒体および音楽情報記憶媒体に書き込まれた音楽情報を認識することができる。したがって、たとえば特定の音楽情報記憶媒体または特定の音楽情報を他の音楽用情報出力装置を用いては出力できないように設定することができる。
さらにまた請求項１３記載の本発明は、音楽配信サーバは、複数の音楽用情報端末装置の中から音楽情報を配信する音楽用情報端末装置を選択して、音楽情報を配信することができることを特徴とする。
請求項１３記載の本発明に従えば、音楽配信サーバは複数の音楽用情報端末装置の中から音楽情報を配信する音楽用情報端末装置を選択して、音楽情報を配信することができるので、特定の音楽用情報端末装置に特定の音楽情報を配信することができる。したがって、たとえばイベント情報等の特定の地域の顧客にだけ有効な音楽情報を特定の地域に設置されている音楽用情報端末装置に配信することができ、告知効果の高い音楽情報の配信を実現することができる。
さらにまた請求項１４記載の本発明は、音楽用情報端末装置は、音楽情報記憶手段に記憶された音楽情報のうち、読み出され音楽情報記憶媒体に書き込まれた音楽情報に関する情報を含む端末装置情報を、通信網を介して音楽配信サーバに送信することができることを特徴とする。
請求項１４記載の本発明に従えば、音楽用情報端末装置は音楽情報記憶手段に記憶された音楽情報のうち、読み出され音楽情報記憶媒体に書き込まれた音楽情報に関する情報を含む端末装置情報を、通信網を介して音楽配信サーバに送信することができるので、読み出され音楽情報記憶媒体に書き込まれた音楽情報である特定の楽曲に関する売り上げ金額等である端末装置情報を音楽配信サーバに送信することができる。送信された端末装置情報を音楽配信サーバまたは他の情報処理装置を利用して処理を行い、売り上げ金額の集計を行うことができる。また読み出され音楽情報記憶媒体に書き込まれた音楽情報である特定の楽曲に関する著作権料の管理を容易に行うことができる。
さらにまた請求項１５記載の本発明は、通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを用い、前記音楽用情報端末装置に記憶された音楽情報を読み出して音楽情報記憶媒体に書き込み、該音楽情報記憶媒体に書き込まれた音楽情報を音楽情報出力装置を用いて出力する音楽配信方法であって、
音楽配信サーバが配信する音楽情報を選定するステップである第１の音楽情報選定ステップと、
第１の音楽情報選定ステップにおいて選定された音楽情報を配信する配信先である音楽用情報端末装置を選定するステップである配信端末選定ステップと、
第１の音楽情報選定ステップにおいて選定された音楽情報を、選定された音楽用情報端末装置に配信するステップである音楽情報配信ステップと、
音楽配信サーバから配信された音楽情報を音楽用情報端末装置が備える音楽情報記憶手段に記憶するステップである音楽情報記憶ステップと、
音楽情報記憶手段に記憶された音楽情報を少なくとも音響データ、画像データおよび文字データのいずれか１つ以上を含む音楽情報として出力するステップである第１の音楽情報出力ステップと、
音楽情報記憶手段に記憶された音楽情報のうち読み出す音楽情報を選定するステップである第２の音楽情報選定ステップと、
第２の音楽情報選定ステップにおいて選定された音楽情報を音楽情報記憶手段から読み出して、読み出した音楽情報を音楽情報記憶媒体に書き込むステップである音楽情報書き込みステップと、
音楽情報書き込みステップにおいて音楽情報記憶媒体に書き込まれた音楽情報に関する情報を含む端末装置情報を音楽配信サーバに送信するステップである端末装置情報送信ステップと、
音楽情報記憶媒体に書き込まれた音楽情報を音楽情報出力装置を用いて出力するステップである第２の音楽情報出力ステップとを含むことを特徴とする音楽配信方法である。
請求項１５記載の本発明に従えば、通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを用い、前記音楽用情報端末装置に記憶された音楽情報を読み出して音楽情報記憶媒体に書き込み、該音楽情報記憶媒体に書き込まれた音楽情報を音楽情報出力装置を用いて出力することができる。
本発明は、音楽配信サーバが配信する音楽情報を選定するステップである第１の音楽情報選定ステップと、第１の音楽情報選定ステップにおいて選定された音楽情報を配信する配信先である音楽用情報端末装置を選定するステップである配信端末選定ステップと、第１の音楽情報選定ステップにおいて選定された音楽情報を選定された音楽用情報端末装置に配信するステップである音楽情報配信ステップと、音楽配信サーバから配信された音楽情報を音楽用情報端末装置が備える音楽情報記憶手段に記憶するステップである音楽情報記憶ステップと、音楽情報記憶手段に記憶された音楽情報を少なくとも音響データ、画像データおよび文字データのいずれか１つ以上を含む音楽情報として出力するステップである第１の音楽情報出力ステップと、音楽情報記憶手段に記憶された音楽情報のうち読み出す音楽情報を選定するステップである第２の音楽情報選定ステップと、第２の音楽情報選定ステップにおいて選定された音楽情報を音楽情報記憶手段から読み出して読み出した音楽情報を音楽情報記憶媒体に書き込むステップである音楽情報書き込みステップと、音楽情報書き込みステップにおいて音楽情報記憶媒体に書き込まれた音楽情報に関する情報を含む端末装置情報を音楽配信サーバに送信するステップである端末装置情報送信ステップと、音楽情報記憶媒体に書き込まれた音楽情報を音楽情報出力装置を用いて出力するステップである第２の音楽情報出力ステップとを含むので、音楽配信サーバが配信する音楽情報を選定し、配信先である音楽情報を音楽用情報端末装置を選定し、選定された音楽情報を選定された音楽用情報端末装置に配信し、配信された音楽情報を音楽用情報端末装置が備える音楽情報記憶手段に記憶し、音楽情報記憶手段に記憶された音楽情報を少なくとも音響データ、画像データおよび文字データのいずれか１つとして出力し、音楽情報記憶手段に記憶された音楽情報のうち読み出す音楽情報を選定し、選定された音楽情報を音楽情報記憶手段から読み出して読み出した音楽情報を音楽情報記憶媒体に書き込み、音楽情報記憶媒体に書き込まれた音楽情報に関する情報を含む端末装置情報を音楽配信サーバに送信し、音楽情報記憶媒体に書き込まれた音楽情報を音楽情報出力装置を用いて出力することができる。したがって、配信される音楽情報を音楽用情報端末装置の音楽情報記憶手段に記憶して蓄積することができ、音楽用情報端末装置を用いて音楽情報であるたとえば楽曲を試聴し、楽曲をデモンストレーション演奏し、楽曲に関するプロモーション情報を表示し、楽曲を販売することができる。
さらにまた請求項１６記載の本発明は、通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを用い、前記音楽用情報端末装置に記憶された音楽情報を読み出して音楽情報記憶媒体に書き込み、該音楽情報記憶媒体に書き込まれた音楽情報を音楽情報出力装置を用いて出力する音楽配信方法であって、
音楽配信サーバが配信する音楽情報を選定するステップである第１の音楽情報選定ステップと、
第１の音楽情報選定ステップにおいて選定された音楽情報を配信する配信先である音楽用情報端末装置を選定するステップである配信端末選定ステップと、
配信端末選定ステップにおいて選定された音楽用情報端末装置が、音楽情報を配信すべき音楽用情報端末装置であることを確認するステップである端末装置確認ステップと、
配信する音楽情報が記憶される音楽情報記憶媒体が、音楽情報を記憶すべき音楽情報記憶手段であることを確認するステップである第１の記憶手段確認ステップと、
第１の音楽情報選定ステップにおいて選定された音楽情報を、選定された音楽用情報端末装置に配信するステップである音楽情報配信ステップと、
音楽配信サーバから配信された音楽情報を音楽用情報端末装置が備える音楽情報記憶手段に記憶するステップである音楽情報記憶ステップと、
音楽情報記憶手段に記憶された音楽情報が、音楽配信サーバから配信された音楽情報であることを確認するステップである第１の音楽情報確認ステップと、
音楽情報記憶手段が、音楽配信サーバから配信された音楽情報を記憶する際に用いられた音楽情報記憶手段であることを確認するステップである第２の記憶手段確認ステップと、
音楽情報記憶手段に記憶された音楽情報を少なくとも音響データ、画像データおよび文字データのいずれか１つ以上を含む音楽情報として出力するステップである第１の音楽情報出力ステップと、
音楽情報記憶手段に記憶された音楽情報のうち読み出す音楽情報を選定するステップである第２の音楽情報選定ステップと、
第２の音楽情報選定ステップにおいて選定された音楽情報を音楽情報記憶手段から読み出して、読み出した音楽情報を音楽情報記憶媒体に書き込むステップである音楽情報書き込みステップと、
音楽情報書き込みステップにおいて音楽情報記憶媒体に書き込まれた音楽情報に関する情報を含む端末装置情報を音楽配信サーバに送信するステップである端末装置情報送信ステップと、
音楽情報記憶媒体に書き込まれた音楽情報が、音楽情報書き込みステップにおいて音楽情報記憶媒体に書き込まれた音楽情報であることを確認するステップである第２の音楽情報確認ステップと、
音楽情報が書き込まれた音楽情報記憶媒体が、音楽情報書き込みステップにおいて音楽情報が書き込まれた音楽情報記憶媒体であることを確認するステップである記憶媒体確認ステップと、
音楽情報記憶媒体に書き込まれた音楽情報を音楽情報出力装置を用いて出力するステップである第２の音楽情報出力ステップとを含むことを特徴とする音楽配信方法である。
請求項１６記載の本発明に従えば、音楽配信サーバが配信する音楽情報を選定するステップである第１の音楽情報選定ステップと、第１の音楽情報選定ステップにおいて選定された音楽情報を配信する配信先である音楽用情報端末装置を選定するステップである配信端末選定ステップと、配信端末選定ステップにおいて選定された音楽用情報端末装置が音楽情報を配信すべき音楽用情報端末装置であることを確認するステップである端末装置確認ステップと、配信する音楽情報が記憶される音楽情報記憶媒体が音楽情報を記憶すべき音楽情報記憶手段であることを確認するステップである第１の記憶手段確認ステップと、第１の音楽情報選定ステップにおいて選定された音楽情報を選定された音楽用情報端末装置に配信するステップである音楽情報配信ステップと、音楽配信サーバから配信された音楽情報を音楽用情報端末装置が備える音楽情報記憶手段に記憶するステップである音楽情報記憶ステップと、音楽情報記憶手段に記憶された音楽情報が音楽配信サーバから配信された音楽情報であることを確認するステップである第１の音楽情報確認ステップと、音楽情報記憶手段が音楽配信サーバから配信された音楽情報を記憶する際に用いられた音楽情報記憶手段であることを確認するステップである第２の記憶手段確認ステップと、音楽情報記憶手段に記憶された音楽情報を少なくとも音響データ、画像データおよび文字データのいずれか１つ以上を含む音楽情報として出力するステップである第１の音楽情報出力ステップと、音楽情報記憶手段に記憶された音楽情報のうち読み出す音楽情報を選定するステップである第２の音楽情報選定ステップと、第２の音楽情報選定ステップにおいて選定された音楽情報を音楽情報記憶手段から読み出して読み出した音楽情報を音楽情報記憶媒体に書き込むステップである音楽情報書き込みステップと、音楽情報書き込みステップにおいて音楽情報記憶媒体に書き込まれた音楽情報に関する情報を含む端末装置情報を音楽配信サーバに送信するステップである端末装置情報送信ステップと、音楽情報記憶媒体に書き込まれた音楽情報が音楽情報書き込みステップにおいて音楽情報記憶媒体に書き込まれた音楽情報であることを確認するステップである第２の音楽情報確認ステップと、音楽情報が書き込まれた音楽情報記憶媒体が音楽情報書き込みステップにおいて音楽情報が書き込まれた音楽情報記憶媒体であることを確認するステップである記憶媒体確認ステップと、音楽情報記憶媒体に書き込まれた音楽情報を音楽情報出力装置を用いて出力するステップである第２の音楽情報出力ステップとを含むので、音楽配信サーバが配信する音楽情報を選定し、音楽情報を配信する配信先である音楽用情報端末装置を選定し、選定された音楽用情報端末装置が音楽情報を配信すべき音楽用情報端末装置であることを確認し、配信する音楽情報が記憶される音楽情報記憶媒体が音楽情報を記憶すべき音楽情報記憶手段であることを確認し、選定された音楽情報を選定された音楽用情報端末装置に配信し、配信された音楽情報を音楽用情報端末装置が備える音楽情報記憶手段に記憶し、音楽情報記憶手段に記憶された音楽情報が音楽配信サーバから配信された音楽情報であることを確認し、音楽情報記憶手段が音楽配信サーバから配信された音楽情報を記憶する際に用いられた音楽情報記憶手段であることを確認し、音楽情報記憶手段に記憶された音楽情報を少なくとも音響データ、画像データおよび文字データのいずれか１つとして出力し、音楽情報記憶手段に記憶された音楽情報のうち読み出す音楽情報を選定し、選定された音楽情報を音楽情報記憶手段から読み出して読み出した音楽情報を音楽情報記憶媒体に書き込み、音楽情報記憶媒体に書き込まれた音楽情報に関する情報を含む端末装置情報を音楽配信サーバに送信し、音楽情報記憶媒体に書き込まれた音楽情報が音楽情報書き込みステップにおいて音楽情報記憶媒体に書き込まれた音楽情報であることを確認し、音楽情報が書き込まれた音楽情報記憶媒体が音楽情報書き込みステップにおいて音楽情報が書き込まれた音楽情報記憶媒体であることを確認し、音楽情報記憶媒体に書き込まれた音楽情報を音楽情報出力装置を用いて出力することができる。
さらにまた請求項１７記載の本発明は、音楽配信サーバが配信する音楽情報、音楽用情報端末装置の音楽情報記憶手段に記憶される音楽情報、音楽情報記憶媒体に書き込まれる音楽情報および音楽用情報端末装置が音楽配信サーバに送信する端末装置情報のうち少なくとも１つは、暗号化処理および圧縮処理のうち少なくとも１方の処理が施されていることを特徴とする。
請求項１７記載の本発明に従えば、音楽配信サーバが配信する音楽情報、音楽用情報端末装置の音楽情報記憶手段に記憶される音楽情報、音楽情報記憶媒体に書き込まれる音楽情報および音楽用情報端末装置が音楽配信サーバに送信する端末装置情報のうち少なくとも１つは、暗号化処理および圧縮処理のうち少なくとも１方の処理が施されているので、音楽配信における音楽情報の送信の際のデータサイズを小さくすることができ、または音楽配信における音楽情報の送信の際に音楽情報が漏洩した場合であっても、暗号化された音楽情報が解読され復号されない限り、楽曲などの音楽著作物が不正に再生され、利用されることを防止できる。
さらにまた請求項１８記載の本発明は、音楽用情報端末装置は、音楽用情報端末装置に記憶された音楽情報を読み出して音楽情報記憶媒体に書き込む際に音楽情報記憶媒体が直接または間接的に接続されるコネクタを備えることを特徴とする。
請求項１８記載の本発明に従えば、音楽用情報端末装置は音楽用情報端末装置に記憶された音楽情報を読み出して音楽情報記憶媒体に書き込む際に音楽情報記憶媒体が直接または間接的に接続されるコネクタを備えるので、異なる形状のコネクタを有する音楽情報記憶媒体に音楽情報を書き込むことができる。たとえば、音楽用情報端末装置に備えられたコネクタと接続できる形状のコネクタを備えた音楽情報記憶媒体に音楽情報を書き込む場合には、音楽用情報端末装置のコネクタに音楽情報記憶媒体のコネクタを直接接続し、音楽情報を音楽情報記憶媒体に書き込むことができる。音楽用情報端末装置に備えられたコネクタと直接接続できない形状のコネクタを備えた音楽情報記憶媒体に音楽情報を書き込む場合には、音楽用情報端末装置のコネクタに接続できるコネクタおよび音楽情報記憶媒体のコネクタに直接接続できる形状の他のコネクタを有するアダプタを、音楽用情報端末装置のコネクタと音楽情報記憶媒体のコネクタとの間に設置し、音楽用情報端末装置と音楽情報記憶媒体とを前述のようなアダプタを介して間接的に接続し、音楽情報を音楽情報記憶媒体に書き込むことができる。すなわち音楽用情報端末装置の音楽情報記憶手段に記憶された音楽情報を、簡単な操作で異なる形状のコネクタを有する種々の音楽情報記憶媒体に書き込むことができる。
さらにまた請求項１９記載の本発明は、通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを用い、前記音楽用情報端末装置に記憶された音楽情報を読み出して音楽情報記憶媒体に書き込み、該音楽情報記憶媒体に書き込まれた音楽情報を音楽情報出力装置を用いて出力する音楽配信方法において用いられる音楽用情報端末装置であって、
音楽配信サーバから配信される音楽情報を受信する受信手段と、
受信した音楽情報を記憶する記憶手段と、
記憶手段に記憶された音楽情報を、少なくとも音響データ、画像データおよび文字データのいずれか１つ以上を含む音楽情報として出力する出力手段と、
記憶手段に記憶された音楽情報のうち読み出す音楽情報を選定する音楽情報選定手段と、
選定された音楽情報を読み出す音楽情報読み出し手段と、
読み出された音楽情報を音楽情報記憶媒体に書き込む音楽情報書き込み手段と、
音楽情報記憶媒体に書き込まれた音楽情報に関する情報を含む端末装置情報を音楽配信サーバに送信する送信手段とを含むことを特徴とする音楽用情報端末装置である。
請求項１９記載の本発明に従えば、音楽用情報端末装置は、音楽配信サーバから配信される音楽情報を受信する受信手段と、受信した音楽情報を記憶する記憶手段と、記憶手段に記憶された音楽情報を少なくとも音響データ、画像データおよび文字データのいずれか１つ以上を含む音楽情報として出力する出力手段と、記憶手段に記憶された音楽情報のうち読み出す音楽情報を選定する音楽情報選定手段と、選定された音楽情報を読み出す音楽情報読み出し手段と、読み出された音楽情報を音楽情報記憶媒体に書き込む音楽情報書き込み手段と、音楽情報記憶媒体に書き込まれた音楽情報を含む端末装置情報を音楽配信サーバに送信する送信手段とを含む。したがって音楽用情報端末装置は、音楽配信サーバから配信される音楽情報を受信し、受信した音楽情報を記憶し、記憶手段に記憶された音楽情報を少なくとも音響データ、画像データおよび文字データのいずれか１つ以上を含む音楽情報として出力し、記憶手段に記憶された音楽情報のうち読み出す音楽情報を選定し、選定された音楽情報を読み出し、読み出された音楽情報を音楽情報記憶媒体に書き込み、音楽情報記憶媒体に書き込まれた音楽情報に関する情報を含む端末装置情報を音楽配信サーバに送信することができる。
さらにまた請求項２０記載の本発明は、音楽用情報端末装置は、受信した音楽情報を識別する音楽情報識別手段および音楽情報が記憶された音楽情報記憶手段を識別する記憶手段識別手段を備えることを特徴とする。
請求項２０記載の本発明に従えば、音楽用情報端末装置は受信した音楽情報を識別する音楽情報識別手段および音楽情報が記憶された音楽情報記憶手段を識別する記憶手段識別手段を備えるので、音楽用情報端末装置は配信された音楽情報および音楽情報が記憶される音楽情報記憶手段を認識することができる。したがってたとえば特定の音楽用情報端末装置によって受信された音楽情報または特定の音楽情報記憶手段に記憶された音楽情報を他の音楽用情報端末装置を用いては出力できないように設定することができる。
さらにまた請求項２１記載の本発明は、音楽用情報端末装置は、音楽用情報端末装置に記憶された音楽情報を音楽情報記憶媒体に書き込む際に音楽情報記憶媒体が直接または間接的に接続されるコネクタを備えることを特徴とする。
請求項２１記載の本発明に従えば、音楽用情報端末装置は音楽用情報端末装置に記憶された音楽情報を読み出して音楽情報記憶媒体に書き込む際に音楽情報記憶媒体が直接または間接的に接続されるコネクタを備えるので、異なる形状のコネクタを有する音楽情報記憶媒体に音楽情報を書き込むことができる。たとえば、音楽用情報端末装置に備えられたコネクタと接続できる形状のコネクタを備えた音楽情報記憶媒体に音楽情報を書き込む場合には、音楽用情報端末装置のコネクタに音楽情報記憶媒体のコネクタを直接接続し、音楽情報を音楽情報記憶媒体に書き込むことができる。音楽用情報端末装置に備えられたコネクタと直接接続できない形状のコネクタを備えた音楽情報記憶媒体に音楽情報を書き込む場合には、音楽用情報端末装置のコネクタに接続できるコネクタおよび音楽情報記憶媒体のコネクタに直接接続できる形状の他のコネクタを有するアダプタを、音楽用情報端末装置のコネクタと音楽情報記憶媒体のコネクタとの間に設置し、音楽用情報端末装置と音楽情報記憶媒体とを前述のようなアダプタを介して間接的に接続し、音楽情報を音楽情報記憶媒体に書き込むことができる。すなわち音楽用情報端末装置の音楽情報記憶手段に記憶された音楽情報を、簡単な操作で異なる形状のコネクタを有する種々の音楽情報記憶媒体に書き込むことができる。
【発明を実施するための最良の形態】
以下、添付図面を参照して、本発明に従う音楽配信システム、音楽情報配信方法および音楽用情報端末装置の好適な実施形態について説明する。図１は本発明の実施の形態の音楽配信システム１０の構成を簡略して示す構成図である。音楽配信システム１０は、電話回線などの有線または無線の通信網１１を介して音楽に関する情報である音楽情報を配信することができる音楽を配信するためのシステムである。音楽に関する情報である音楽情報は、たとえば楽曲そのもの、楽曲の販売促進用のビデオ映像であるＰＶ、各種イベントおよび楽曲の販売の内容、開催日時、販売日時等を告知する告知情報などの音声データ、画像データ、文字データである。
音楽配信システム１０は、一般公衆回線および専用回線などの電話回線などによって実現される通信網１１を介して音楽情報を配信する音楽配信サーバ２０と、音楽配信サーバ２０によって配信される音楽情報を受信し受信した音楽情報を記憶するとともに音楽情報を出力することができる音楽用情報端末装置３０とを備え、音楽用情報端末装置３０に記憶された音楽情報を読み出して音楽情報記憶媒体４０に書き込み、この音楽情報記憶媒体４０に書き込まれた音楽情報を音楽情報出力情報５０を用いて出力することができる。
音楽配信サーバ２０は、本実施の形態に適合する処理を実行するための各種制御および処理を行うサーバ制御手段２１と、制御および処理に必要な情報が一時的または継続的に記憶されるサーバメモリ２２と、各種音楽情報および音楽用情報端末装置３０に関するデータが記憶されるサーバ記憶手段２３と、音楽用情報端末装置３０に各種音楽情報を送信するとともに音楽用情報端末装置３０から送信される端末装置情報を受信するサーバ送受信手段２４と、配信する音楽情報および配信先である音楽用情報端末装置３０を指定する配信データを入力するサーバ入力手段２５と、サーバ記憶手段２３に記憶されている音楽情報の概要および端末装置情報などを出力するサーバ出力手段２６とを備える。サーバ制御手段２１、サーバメモリ２２、サーバ記憶手段２３、サーバ送受信手段２４、サーバ入力手段２５およびサーバ出力手段２６は、図示しないバスライン等によって相互に接続される。
サーバ制御手段２１は、ＣＰＵ（ｃｅｎｔｒａｌ　ｐｒｏｃｅｓｓｉｎｇ　ｕｎｉｔ）等によって実現され、サーバメモリ２２、サーバ記憶手段２３、サーバ送受信手段２４およびサーバ出力手段２６を制御するとともに、各種プログラムを実行する。
サーバメモリ２２は、複数の電子部品等で実現され、サーバ制御手段２１に対してその制御動作の基本になる情報または命令の各種データが一時的または継続的にストアされるとともに、サーバ制御手段２１の制御に基づいて、サーバ記憶手段２３、サーバ送受信手段２４、サーバ入力手段２５およびサーバ出力手段２６に制御情報を与え、かつサーバ記憶手段２３、サーバ送受信手段２４、サーバ入力手段２５およびサーバ出力手段２６から各種情報を得る。
サーバ記憶手段２３は、ハードディスク、磁気ディスク、デジタルビデオディスク等の外部記憶装置によって実現され、各種音楽情報および音楽情報を配信する音楽用情報端末装置３０に関する情報が記憶される。
サーバ送受信手段２４は、モデム、ＴＡ（ｔｅｒｍｉｎａｌ　ａｄａｐｔｅｒ）、ＤＳＵ（ｄｉｇｉｔａｌ　ｓｅｒｖｉｃｅ　ｕｎｉｔ）等によって実現され、音楽用情報端末装置３０に音楽情報を送信するとともに、音楽用情報端末装置３０から送信される端末装置情報を受信する。
サーバ入力手段２５は、キーボード、マウス等によって実現され、配信する音楽情報および配信先である音楽用情報端末装置３０を指定するための配信データを入力する。
サーバ出力手段２６は、ＣＲＴ（ｃａｔｈｏｄｅ　ｒａｙ　ｔｕｂｅ）、液晶ディスプレイ、プリンタ等で実現され、受信した端末装置情報および端末装置情報に基づいて得られる集計結果を表示する。
また音楽配信サーバ２０は、音楽用情報端末装置３０を識別する端末装置識別手段２７および音楽用情報端末装置３０の端末記憶手段３３を識別する記憶手段識別手段２８を備える。端末装置識別手段２７および記憶手段識別手段２８は、具体的には、サーバ制御手段２１、サーバメモリ２２およびサーバ記憶手段２３によって実現される。
音楽用情報端末装置３０は、本実施の形態に適合する処理を実行するための各種制御および処理を行う端末制御手段３１と、制御および処理に必要な情報が一時的または継続的に記憶される端末メモリ３２と、各種音楽情報および端末装置情報が記憶される音楽情報記憶手段である端末記憶手段３３と、音楽配信サーバ２０から送信される各種音楽情報を受信するとともに、音楽配信サーバ２０に端末装置情報を送信する端末送受信手段３４と、出力する音楽情報等を指定する指定データを入力する端末入力手段３５と、指定した音楽情報を出力する端末出力手段３６とを備える。端末制御手段３１、端末メモリ３２、端末記憶手段３３、端末送受信手段３４、端末入力手段３５および端末出力手段３６は、図示しないバスライン等によって相互に接続される。
また音楽用情報端末装置３０は、端末記憶手段３３に記憶された音楽情報を読み出して音楽情報記憶媒体４０に書き込む際に音楽情報記憶媒体４０が直接または間接的に接続されるコネクタ３９を備える。したがって、異なるコネクタ形状を有する音楽情報記憶媒体４０に音楽情報を書き込むことができる。たとえば、音楽用情報端末装置３０に備えられたコネクタ３９と接続できる形状のコネクタ４１を備えた音楽情報記憶媒体４０に音楽情報を書き込む場合には、音楽用情報端末装置３０のコネクタ３９に音楽情報記憶媒体４０のコネクタ４１を直接接続し、音楽情報を音楽情報記憶媒体４０に書き込むことができる。音楽用情報端末装置３０に備えられたコネクタ３９と直接接続できない形状のコネクタ４６を備えた音楽情報記憶媒体４５に音楽情報を書き込む場合には、音楽用情報端末装置３０のコネクタ３９に接続できるコネクタ６１および音楽情報記憶媒体４５のコネクタ４６に直接接続できる形状の他のコネクタ６２を有するアダプタ６０を、音楽用情報端末装置３０のコネクタ３９と音楽情報記憶媒体４５のコネクタ４６との間に設置し、音楽用情報端末装置３０と音楽情報記憶媒体４５とを前述のようなアダプタ６０を介して間接的に接続し、音楽情報を音楽情報記憶媒体４５に書き込むことができる。すなわち音楽用情報端末装置３０の端末記憶手段３３に記憶された音楽情報を、簡単な操作で異なる形状のコネクタ４１，４６を有する種々の音楽情報記憶媒体４０，４５に書き込むことができる。
さらにまた、音楽用情報端末装置３０は、端末記憶手段３３に記憶された音楽情報のうち読み出す音楽情報を選定する音楽情報選定手段と、選定された音楽情報を読み出す音楽情報読み出し手段と、読み出された音楽情報を音楽情報記憶媒体４０に書き込む音楽情報書き込み手段とを備えている。音楽情報選定手段、音楽情報読み出し手段および音楽情報書き込み手段は、具体的には、端末制御手段３１、端末メモリ３２、端末記憶手段３３、端末入力手段３５および端末出力手段３６によって実現される。
端末制御手段３１は、ＣＰＵ、ＭＰＵ（ｍｉｃｒｏ　ｐｒｏｃｅｓｓｉｎｇ　ｕｎｉｔ）等によって実現され、端末メモリ３２、端末記憶手段３３、端末送受信手段３４、端末入力手段３５および端末出力手段３６を制御するとともに、各種プログラムを実行する。
端末メモリ３２は、複数の電子部品等で実現され、端末制御手段３１に対してその制御動作の基本になる情報または命令の各種データが一時的または継続的にストアされるとともに、端末制御手段３１の制御に基づいて、端末記憶手段３３、端末送受信手段３４、端末入力手段３５および端末出力手段３６に制御情報を与え、かつ端末記憶手段３３、端末送受信手段３４、端末入力手段３５および端末出力手段３６から各種情報を得る。
端末記憶手段３３は、ハードディスク、磁気ディスク、デジタルビデオディスク等の外部記憶装置によって実現され、各種音楽情報および端末装置情報が記憶される音楽情報記憶手段である。
端末送受信手段３４は、モデム、ＴＡ、ＤＳＵ等によって実現され、音楽配信サーバ２０から送信される各種音楽情報を受信するとともに、音楽配信サーバ２０に端末装置情報を送信する
端末入力手段３５は、キーボード、マウス、表示画面に触れることによって画面に表示された内容の指示が入力できるタッチスクリーン等によって実現され、出力する音楽情報および送信する端末装置情報を指定するための指定データを入力する。
端末出力手段３６は、ＣＲＴ、液晶ディスプレイ、プリンタ、スピーカ等で実現され、指定された音楽情報を出力する。
また音楽用情報端末装置３０は、受信した音楽情報を識別する音楽情報識別手段３７および音楽情報が記憶された音楽情報記憶手段である端末記憶手段３３を識別する記憶手段識別手段３８を備える。音楽情報識別手段３７および記憶手段識別手段３８は、具体的には、端末制御手段３１、端末メモリ３２および端末記憶手段３３によって実現される。
音楽情報出力装置５０は、いわゆるデジタルオーディオプレーヤであって、楽曲に対応するデジタルデータである音声データが記憶された音楽情報記憶媒体４０を装着し、音楽情報記憶媒体４０に書き込まれている音声データを再生して、アナログ音声信号として出力する。
音楽用情報出力装置５０は、音楽情報が書き込まれた音楽情報記憶媒体４０を識別する記憶媒体識別手段５１および音楽情報記憶媒体４０に書き込まれた音楽情報を識別する音楽情報識別手段５２を備える。
音楽情報が書き込まれる音楽情報記憶媒体４０は、電気的に書き換え可能な記憶媒体であって、たとえばフラッシュメモリカード、スマートメディア、ＳＤ（ｓｅｃｕｒｅ　ｄｉｇｉｔａｌ）メモリカード、メモリースティックなどとして商業的に入手可能であるＥＥＰＲＯＭ（ｅｌｅｃｔｒｉｃａｌｌｙ　ｅｒａｓａｂｌｅ　ａｎｄ　ｐｒｏｇｒａｍｍａｂｌｅ　ｒｅａｄ　ｏｎｌｙ　ｍｅｍｏｒｙ）等の半導体メモリである。
音楽配信システム１０において、音楽配信サーバ２０および音楽用情報端末装置３０間で送受信される音楽情報および端末装置情報は、送受信するデータ容量を小さくするために圧縮処理が施され、またデータの漏洩等を防ぐために暗号化処理が施されているデータ圧縮の方式は、ＴｗｉｎＶＱ（ｔｒａｎｓｆｏｒｍ−ｄｏｍａｉｎ　ｗｅｉｇｈｔｅｄ　ｉｎｔｅｒｌｅａｖｅ　ｖｅｃｔｏｒ　ｑｕａｎｔｉｚａｔｉｏｎ）、ＭＰ３（ｍｏｖｉｎｇ　ｐｉｃｔｕｒｅ　ｃｏｄｉｎｇ　ｅｘｐｅｒｔｓ　ｇｒｏｕｐ　１　ａｕｄｉｏ　ｌａｙｅｒ　３）などであってあってもよく、さらにＳＵＰＥＲ　ＡＣＴ（商品名）のように、動画像を秒間３０フレームでリアルタイム圧縮を実現する圧縮方式などが採用されてもよい。
以上のように、音楽配信システム１０は、通信網１１を介して音楽に関する情報である音楽情報を配信することができる音楽配信サーバ２０と、音楽配信サーバ２０によって配信される音楽情報を受信し受信した音楽情報を記憶するとともに音楽情報を出力することができる音楽用情報端末装置３０とを備え、音楽用情報端末装置３０に記憶された音楽情報を読み出して音楽情報記憶媒体４０に書き込み、音楽情報記憶媒体４０に書き込まれた音楽情報を音楽情報出力装置５０に装着して、音楽情報をアナログ音声信号として出力することができ、音楽情報出力装置の利用者が音楽を楽しむことができる。
また音楽配信サーバ２０は公衆電話回線などの通信網１１を介して各種音楽情報を配信するので、楽曲および楽音等の音響データ、たとえばＰＶ等の楽曲に関する販売促進用の音響データおよび画像データならびに各種イベント情報等の各種音楽情報を音楽用情報端末装置３０に配信することができる。
さらに音楽用情報端末装置３０は音楽配信サーバ２０から配信される音楽情報を受信して、受信した音楽情報を音楽用情報端末装置３０に備えられたハードディスクなどの音楽情報記憶手段である端末記憶手段３３に記憶し、たとえば音楽用情報端末装置３０の設置された店舗内において、各種音楽情報に含まれるＰＶ等の楽曲に関する販売促進用の音響データおよび画像データならびに各種イベント情報等の各種音楽情報を放映または表示させることができる。また配信された楽曲等を購入しようとする顧客に、楽曲を視聴させることができる。
楽曲を購入しようとする顧客は、たとえばコンパクトディスク、スマートメディア、メモリースティック等の音楽情報記憶媒体４０を音楽用情報端末装置３０に装着し、端末記憶手段３３から読み出した音楽情報を音楽情報記憶媒体４０に書き込み、この音楽情報記憶媒体４０を音楽情報出力装置５０に装着して、音楽情報記憶媒体４０に書き込まれたデジタルデータ化された楽曲などの音楽情報を再生して、楽曲を聴くことができる。
また、音楽配信サーバ２０は音楽用情報端末装置３０を識別する端末装置識別手段２７および音楽用情報端末装置３０に備えられた端末記憶手段３３を識別する記憶手段識別手段２８を備えるので、音楽配信サーバ２０は音楽情報の配信先である音楽用情報端末装置３０および音楽用情報端末装置３０の端末記憶手段３３を認識することができる。したがって予め定められた音楽用情報端末装置３０および端末記憶手段３３にだけ音楽情報を配信することができ、音楽情報が配信されるべき正規の音楽用端末情報装置３０および端末記憶手段３３に音楽情報が配信され、たとえば音楽情報の不正受信を防止できる。通常、音楽用情報端末装置３０に備えられるハードディスクなどの音楽情報記憶手段である端末記憶手段３３は、音楽用情報端末装置３０に対して脱着可能に装着することができるので、端末記憶手段３３を識別する記憶手段識別手段２８を音楽配信サーバ２０が備えることは音楽情報の盗用および漏洩の防止に極めて有効である。
さらに、音楽用情報端末装置３０は受信した音楽情報を識別する音楽情報識別手段３７および音楽情報が書き込まれ記憶された端末記憶手段３３を識別する記憶手段識別手段３８を備えるので、音楽用情報端末装置３０は配信された音楽情報および音楽情報が書き込まれ記憶される端末記憶手段３３を認識することができる。したがってたとえば特定の音楽用情報端末装置３０によって受信された音楽情報または特定の端末記憶手段３３に書き込まれ記憶された音楽情報を他の音楽用情報端末装置３０を用いては出力できないように設定することができる。前述のように、音楽用情報端末装置３０に備えられるハードディスクなどの音楽情報記憶手段である端末記憶手段３３は、音楽用情報端末装置３０に対して脱着可能に装着することができるので、端末記憶手段３３を識別する記憶手段識別手段３８を音楽用情報端末装置３０が備えることは音楽情報の盗用および漏洩の防止に極めて有効である。
さらにまた、音楽情報出力装置５０は音楽情報が書き込まれた音楽情報記憶媒体４０を識別する記憶媒体識別手段５１および音楽情報記憶媒体４０に書き込まれた音楽情報を識別する音楽情報識別手段５２を備えるので、音楽情報出力装置５０は音楽情報が書き込まれた音楽情報記憶媒体４０および音楽情報記憶媒体４０に書き込まれた音楽情報を認識することができる。したがって、たとえば特定の音楽情報記憶媒体４０または特定の音楽情報を他の音楽用情報出力装置５０を用いては出力できないように設定することができる。
さらにまた、音楽配信サーバ２０はサーバ入力手段２５を用いて入力される配信データに基づいて、複数の音楽用情報端末装置３０の中から音楽情報を配信する音楽用情報端末装置３０を選択して、音楽情報を配信することができるので、特定の音楽用情報端末装置３０に特定の音楽情報を配信することができる。したがって、たとえばイベント情報等の特定の地域の顧客にだけ有効な音楽情報を特定の地域に設置されている音楽用情報端末装置３０に配信することができ、告知効果の高い音楽情報の配信を実現することができる。
さらにまた、音楽用情報端末装置３０は端末記憶手段３３に記憶された音楽情報のうち、読み出され音楽情報記憶媒体４０に書き込まれた音楽情報に関する情報を含む端末装置情報を、通信網１１を介して音楽配信サーバ２０に送信することができるので、読み出され音楽情報記憶媒体４０に書き込まれた音楽情報である特定の楽曲に関する売り上げ金額等である端末装置情報を音楽配信サーバ２０に送信することができる。送信された端末装置情報を音楽配信サーバ２０または他の情報処理装置を利用して集計処理等を行い、売り上げ金額の集計を行うことができる。また読み出され音楽情報記憶媒体４０に書き込まれた音楽情報である特定の楽曲に関する著作権料の管理を容易に行うことができる。
さらにまた、音楽配信サーバ２０が配信する音楽情報、音楽用情報端末装置３０の端末記憶手段３３に記憶される音楽情報、音楽情報記憶媒体４０に書き込まれる音楽情報および音楽用情報端末装置３０が音楽配信サーバ２０に送信する端末装置情報のうち少なくとも１つは、暗号化処理および圧縮処理のうち少なくとも１方の処理が施されているので、音楽配信における音楽情報の送信の際のデータサイズを小さくすることができ、または音楽配信における音楽情報の送信の際に音楽情報が漏洩した場合であっても、暗号化された音楽情報が解読され復号されない限り、楽曲などの音楽著作物が不正に再生され、利用されることを防止できる。
さらにまた、音楽用情報端末装置３０は端末記憶手段３３に記憶された音楽情報を読み出して音楽情報記憶媒体４０に書き込む際に音楽情報記憶媒体４０が直接または間接的に接続されるコネクタ３９を備えるので、異なるコネクタ形状を有する音楽情報記憶媒体４０に音楽情報を書き込むことができる。たとえば、音楽用情報端末装置３０に備えられたコネクタ３９と接続できる形状のコネクタ４１を備えた音楽情報記憶媒体４０に音楽情報を書き込む場合には、音楽用情報端末装置３０のコネクタ３９に音楽情報記憶媒体４０のコネクタ４１を直接接続し、音楽情報を音楽情報記憶媒体４０に書き込むことができる。音楽用情報端末装置３０に備えられたコネクタ３９と直接接続できない形状のコネクタ４６を備えた音楽情報記憶媒体４５に音楽情報を書き込む場合には、音楽用情報端末装置３０のコネクタ３９に接続できるコネクタ６１および音楽情報記憶媒体４５のコネクタ４６に直接接続できる形状の他のコネクタ６２を有するアダプタ６０を、音楽用情報端末装置３０のコネクタ３９と音楽情報記憶媒体４５のコネクタ４６との間に設置し、音楽用情報端末装置３０と音楽情報記憶媒体４５とを前述のようなアダプタ６０を介して間接的に接続し、音楽情報を音楽情報記憶媒体４５に書き込むことができる。すなわち音楽用情報端末装置３０の端末記憶手段３３に記憶された音楽情報を、簡単な操作で異なる形状のコネクタ４１，４６を有する種々の音楽情報記憶媒体４０，４５に書き込むことができる。
図２は本発明の実施の形態の音楽情報配信方法に適用される音楽配信システム１０の基本的な動作を簡略して示す動作説明図である。音楽配信システム１０を構成する音楽配信サーバ２０、音楽用情報端末装置３０および音楽情報出力装置５０の詳細な動作については、図５〜図８を参照して後述する。
まずステップＳ１として、各種音楽情報が音楽配信サーバ２０のサーバ記憶手段２３に記憶されており、ステップＳ２において、音楽用情報端末装置３０に配信すべき音楽情報を選定する。
続いてステップＳ３において、音楽情報を配信すべき音楽用情報端末装置３０を選定する。ステップＳ２およびステップＳ３において選定された音楽情報および配信先である音楽用情報端末装置３０は、サーバ入力手段２５等を用いて配信データとして入力される。
配信データに基づいて、配信する音楽情報をサーバ記憶手段２３から読み出し、ステップＳ４において、音楽情報を配信する。音楽配信は所定の期間毎に自動的に行うようにしてもよい。
ステップＳ５において、音楽用情報端末装置３０は、配信された音楽情報を端末記憶手段３３に記憶し、ステップＳ６において、たとえばデモ演奏、試聴、ＰＶ放映、各種情報の告知を音楽用情報端末装置３０の出力手段３６を用いて行う。
ステップＳ６におけるデモ演奏、試聴、ＰＶ放映等によって、楽曲を購入しようとする顧客は、ステップＳ７において、購入を希望する購入曲を選定する。購入曲の指定は、端末入力手段３５を操作して指定データを入力することによって行われる。
ステップＳ８において、指定データに基づいて、端末記憶手段３３から指定された音楽情報を読み出し、音楽情報記憶媒体４０に音楽情報を書き込む。音楽情報記憶媒体４０への音楽情報の書き込みの前後のいずれかにおいて、音楽情報が有料である場合には、料金徴収が行われる。
ステップＳ９において、音楽用情報端末装置３０から音楽配信サーバ２０に、音楽情報の販売に関する情報である販売情報が通知され、ステップＳ１０において、音楽配信サーバ２０が受信した販売情報を管理する。販売情報の通知および管理は、所定の期間毎に行うことでき、具体的には所定の期間毎に所定の期間内において発生した販売情報を通知管理することになる。
以上のように音楽配信システム１０が適用される本発明に係る音楽情報配信方法は、通信網１１を介して音楽に関する情報である音楽情報を配信することができる音楽配信サーバ２０と、前記音楽配信サーバ２０によって配信される音楽情報を受信し受信した音楽情報を記憶するとともに音楽情報を出力することができる音楽用情報端末装置３０とを用い、前記音楽用情報端末装置３０に記憶された音楽情報を読み出して音楽情報記憶媒体４０に書き込み、該音楽情報記憶媒体４０に書き込まれた音楽情報を音楽情報出力装置５０を用いて出力する音楽配信方法であって、音楽配信サーバ２０が配信する音楽情報を選定する第１の音楽情報選定ステップと、第１の音楽情報選定ステップにおいて選定された音楽情報を配信する配信先である音楽用情報端末装置３０を選定する配信端末選定ステップと、配信端末選定ステップにおいて選定された音楽用情報端末装置３０が音楽情報を配信すべき音楽用情報端末装置３０であることを確認する端末装置確認ステップと、配信する音楽情報が記憶される音楽情報記憶媒体４０が音楽情報を記憶すべき端末記憶手段３３であることを確認する第１の記憶手段確認ステップと、第１の音楽情報選定ステップにおいて選定された音楽情報を選定された音楽用情報端末装置３０に配信する音楽情報配信ステップと、音楽配信サーバ２０から配信された音楽情報を音楽用情報端末装置３０が備える端末記憶手段３３に記憶する音楽情報記憶ステップと、端末記憶手段３３に記憶された音楽情報が音楽配信サーバ２０から配信された音楽情報であることを確認する第１の音楽情報確認ステップと、端末記憶手段３３が音楽配信サーバ２０から配信された音楽情報を記憶する際に用いられた端末記憶手段３３であることを確認する第２の記憶手段確認ステップと、端末記憶手段３３に記憶された音楽情報を少なくとも音響データ、画像データおよび文字データのいずれか１つとして出力する第１の音楽情報出力ステップと、端末記憶手段３３に記憶された音楽情報のうち読み出す音楽情報を選定する第２の音楽情報選定ステップと、第２の音楽情報選定ステップにおいて選定された音楽情報を端末記憶手段３３から読み出して読み出した音楽情報を音楽情報記憶媒体４０に書き込む音楽情報書き込みステップと、音楽情報書き込みステップにおいて音楽情報記憶媒体４０に書き込まれた音楽情報に関する情報を含む端末装置情報を音楽配信サーバ２０に送信する端末装置情報送信ステップと、音楽情報記憶媒体４０に書き込まれた音楽情報が音楽情報書き込みステップにおいて音楽情報記憶媒体４０に書き込まれた音楽情報であることを確認する第２の音楽情報確認ステップと、音楽情報が書き込まれた音楽情報記憶媒体４０が音楽情報書き込みステップにおいて音楽情報が書き込まれた音楽情報記憶媒体４０であることを確認する記憶媒体確認ステップと、音楽情報記憶媒体４０に書き込まれた音楽情報を音楽情報出力装置５０を用いて出力する第２の音楽情報出力ステップとを含む。
このようにして、各種音楽情報が音楽用情報端末装置３０に配信され、配信された音楽情報は音楽用端末装置３０において出力され、楽曲の購入を希望する顧客は音楽情報記憶媒体４０に希望する音楽情報を書き込み、楽曲を顧客が使用する音楽情報出力装置５０によって聴くことができる。
音楽情報は、音楽配信サーバ２０から音楽用情報端末装置３０に配信されるので、通信網１１を介して行われる音楽配信において伝送されるデータ量を少なくし、通信網の通信負荷を低減することができるとともに、多くの人々に楽曲等に関する販売促進情報を含む音楽情報を広く告知することができる。
図３は、音楽配信サーバ２０が音楽用情報端末装置３０に配信すべき音楽情報を配信する際の音楽配信サーバ２０の動作を示すフローチャートである。
ステップａ１において、サーバ入力手段２５から入力された配信データに基づいて、サーバ記憶手段２３から配信先データを読み出し、ステップａ２において、サーバ入力手段２５から入力された配信データに基づいて、サーバ記憶手段２３から端末データを読み出し、ステップａ３において、サーバ入力手段２５から入力された配信データに基づいて、サーバ記憶手段２３から音楽情報データを読み出す。
配信先データは配信する音楽情報をどの音楽用情報端末装置３０に配信するかに関する情報が含まれ、端末データには配信先である音楽用情報端末装置３０が配信可能な配信先であるか否かを判断する際に用いられる音楽用情報端末装置３０の識別情報および音楽用情報端末装置３０の端末記憶手段３３が音楽情報を記憶可能な記憶手段であるか否かを判断する際に用いられる端末記憶手段３３の識別情報が含まれ、音楽情報データには送信する音楽情報が含まれる。サーバ記憶手段２３から読み出された配信先データ、端末データおよび音楽情報データはサーバメモリ２２に一時的に記憶される。
ステップａ４において、配信先である音楽用情報端末装置３０の識別情報として音楽用情報端末装置３０に固有の識別記号が含まれる端末識別情報データを音楽用情報端末装置３０から取得する。音楽用情報端末装置３０に固有の識別記号は、たとえば、音楽用情報端末装置３０毎に付与されたＩＤ番号である端末装置番号である。たとえば、図９を参照して後述するように、音楽用情報端末装置３０に備えられたＩＤ内蔵ＬＳＩ（ｌａｒｇｅ　ｓｃａｌｅ　ｉｎｔｅｇｒａｔｉｏｎ）８０に固有の識別記号を音楽用情報端末装置３０から取得する。音楽用情報端末装置３０から取得した端末装置識別情報が含まれる端末識別情報データは、サーバメモリ２２に一時的に記憶される。
ステップａ５において、配信先である音楽用情報端末装置３０の端末記憶手段３３の識別情報として端末記憶手段３３に固有の識別記号が含まれる記憶手段識別情報データを音楽用情報端末装置３０から取得する。端末記憶手段３３に固有の識別記号は、たとえば、端末記憶手段３３毎に付与されたＩＤ番号である端末記憶手段番号である。音楽用情報端末装置３０から取得した端末記憶手段識別情報は、サーバメモリ２２に一時的に記憶される。
ステップａ６において、サーバメモリ２２に一時的に記憶されている端末データと音楽用情報端末装置３０から取得した端末識別情報データとを照合し、音楽用情報端末装置３０が、音楽情報を配信することが認められた正規の音楽用情報端末装置３０であるか否かを判断する。この判断は、具体的にはサーバ制御手段２１、サーバメモリ２２およびサーバ記憶手段２３によって実現される端末装置識別手段２７によって判断される。
音楽用情報端末装置３０が音楽情報を配信することが認められた正規の音楽用情報端末装置３０であると判断された場合にはステップａ７に進み、音楽用情報端末装置３０が音楽情報を配信することが認められた正規の音楽用情報端末装置３０であるとは判断されない場合にはステップａ８に進む。
ステップａ７において、サーバメモリ２２に一時的に記憶されている端末データと音楽用情報端末装置３０から取得した記憶手段識別情報データとを照合し、端末記憶手段３３が音楽情報を記憶することが認められた正規の端末記憶手段３３であるか否かを判断する。この判断は、具体的にはサーバ制御手段２１、サーバメモリ２２およびサーバ記憶手段２３によって実現される記憶手段識別手段２８によって判断される。
端末記憶手段３３が、音楽情報を記憶することが認められた正規の端末記憶手段３３であると判断された場合にはステップａ９に進み、端末記憶手段３３が音楽情報を記憶することが認められた正規の端末記憶手段３３であると判断されない場合にはステップａ８に進む。
音楽用情報端末装置３０が音楽情報を配信することが認められた正規の音楽用情報端末装置３０であるとは判断されない場合または端末記憶手段３３が音楽情報を記憶することが認められた正規の端末記憶手段３３であると判断されない場合に、ステップａ８において、その旨を伝えるエラー通知を音楽用情報端末装置３０に送信し、ステップａ１１に進む。
ステップａ９において、配信する音楽情報が含まれる音楽情報データを音楽用情報端末手段３０に送信し、ステップａ１０において、送信した音楽情報データが音楽用情報端末装置３０によって受信されたことを内容とする受信完了通知を音楽用情報端末装置３０から受信し、ステップａ１１において、サーバ記憶手段に記憶されている、音楽情報の配信の記録である配信記録を更新して終了する。
図４は、音楽配信サーバ２０から音楽情報を受信する音楽用情報端末装置３０の動作を示すフローチャートである。
ステップｂ１において、音楽配信サーバ２０から送信される音楽情報を受信しステップｂ２において、受信した音楽情報を端末記憶手段３３に記憶し、ステップｂ３において、端末記憶手段３３固有の識別記号である端末記憶手段識別情報を取得して記憶手段識別情報データとして端末記憶手段３３に記憶し、ステップｂ４において、配信された音楽情報を受信したことを内容とする受信完了通知を音楽配信サーバ２０に送信する。この受信完了通知は、図３におけるステップａ１０において、音楽配信サーバ２０に受信される。
図５は、端末記憶手段３３に記憶されている各種音楽情報を端末出手段３５を用いて出力する際の動作を示すフローチャートである。
ステップｂ１１において、音楽用情報端末装置３０は端末記憶手段３３を認識して端末記憶手段識別情報を取得し、ステップｂ１２において、装着されている端末記憶手段３３が音楽用情報端末装置３０を用いて音楽情報を記憶した端末記憶手段３３であるか否かを判断する。この判断は、具体的には端末制御手段３１、端末メモリ３２および端末記憶手段３３によって実現される記憶手段識別手段３８によって判断される。
音楽用情報端末装置３０に装着されている端末記憶手段が音楽用情報端末装置３０を用いて音楽情報を記憶した端末記憶手段３３であると判断する場合、ステップｂ１３に進み、装着されている端末記憶手段が音楽用情報端末装置３０を用いて音楽情報を記憶した端末記憶手段３３であると判断しない場合、ステップｂ１４に進む。ステップｂ１４において、端末記憶手段３３が音楽用情報端末装置３０に適合しないことを内容とするエラーメッセージを表示して、終了する。
ステップｂ１３において、端末入力手段３５を用いて入力される音楽情報選定情報を取得し、ステップｂ１５において、音楽情報選定情報に基づいて選定された音楽情報データを端末記憶手段３３から読み出し、ステップｂ１６において、読み出した音楽情報データを端末出力手段３６を用いて出力する。すなわち、音楽用情報端末装置３０が設置された店舗内において、音楽情報である楽曲のデモ演奏が端末出力手段３６であるスピーカを介して流れ、音楽情報である楽曲に関するＰＶが店舗内に設置された端末出力手段３６であるディスプレイに表示され、音楽情報である各種イベント等に関する文字情報が端末出力手段３６であるプリンタによって印刷され、イベント情報等が表示された印刷物が配布される。
なお、ステップｂ１３において、出力する音楽情報を選定するために端末入力手段３５を用いて音楽情報選定情報である指定データ入力する際に、音楽情報識別手段３７が端末記憶手段３３に記憶されている音楽情報データの音楽情報識別情報を取得し、端末記憶手段３３に記憶されている音楽情報識別照会データと照会し、当該音楽用情報端末装置３０および当該端末記憶手段３３の組み合わせにおいて当該端末記憶手段３３に記憶された音楽情報データだけを選定できるようにする。したがって、他の音楽用情報端末装置３０において音楽情報データが記憶された端末記憶手段３３を別の音楽用情報端末装置３０に装着して、記憶された音楽情報データに対応する音楽情報を出力することができない。
ステップｂ１７において、ステップｂ１６において出力された音楽情報、すなわちステップｂ１３において端末入力手段３５から入力された音楽情報選定情報が端末出力手段３６によって出力された結果である出力情報が、端末記憶手段３３に記憶され、ステップｂ１８において、出力情報が含まれる端末情報が音楽配信サーバ２０に送信される。
どのような音楽情報が、いつ出力されたかを内容とする出力情報が端末記憶手段３３に記憶されるとともに、音楽配信サーバ２０に送信されるので、この出力情報を以後の販売促進に役立てることができる。すなわち、あるイベントのチケットの販売状況が低調な場合に、そのイベントの告知の回数を増加させるようにすることができる。また、このような出力情報は、販売状況が低調な楽曲についてのデモ演奏回数を増加させ、またＰＶの放映回数を増加させるなど、適宜、出力する音楽情報を選定する際の有効な判断材料、または指針となる。
図６は、音楽用情報端末装置３０の端末記憶手段３３に記憶されている音楽情報を販売する際の音楽用情報端末装置３０の動作を示すフローチャートである。
ステップｂ２１において、音楽用情報端末装置３０は端末記憶手段３３を認識して端末記憶手段識別情報を取得し、ステップｂ２２において、装着されている端末記憶手段３３が音楽用情報端末装置３０を用いて音楽情報を記憶した端末記憶手段３３であるか否かを判断する。この判断は、ステップｂ１２と同様に具体的には端末制御手段３１、端末メモリ３２および端末記憶手段３３によって実現される記憶手段識別手段３８によって判断される。
音楽用情報端末装置３０に装着されている端末記憶手段が音楽用情報端末装置３０を用いて音楽情報を記憶した端末記憶手段３３であると判断する場合、ステップｂ２３に進み、装着されている端末記憶手段が音楽用情報端末装置３０を用いて音楽情報を記憶した端末記憶手段３３であると判断しない場合、ステップｂ２４に進む。ステップｂ２４において、端末記憶手段３３が音楽用情報端末装置３０に適合しないことを内容とするエラーメッセージを表示して、終了する。
ステップｂ２３において、端末入力手段３５を用いて入力される音楽情報選定情報を取得し、ステップｂ２５において、音楽情報選定情報に基づいて、出力する音楽情報の出力目的が試聴であるか否かを判断する。ここで試聴とは、たとえば楽曲を購入する前に顧客が楽曲を試しに聴いて、その内容を確認する行為であって、原則は無料で行うことができることとする。ただし、試聴できる音楽情報データに出力に関する制限を加えることは可能であって、この制限としてたとえば、楽曲の一部に相当する音楽情報データだけを出力することができるようにしてもよい。
出力する音楽情報の出力目的が試聴であると判断した場合にはステップｂ２６に進み、出力する音楽情報の出力目的が試聴であると判断しない場合にはステップｂ２７に進む。
ステップｂ２６において、試聴用音楽情報データを端末記憶手段３３から読み出し、ステップｂ２８において、読み出した試聴用音楽情報データをヘッドホンなどの再生部材によって、デジタルデータである試聴用音楽情報データをアナログ化して出力する。音楽情報を購入しようとして楽曲を試聴する利用者は、ヘッドホンを介して、楽曲を聴くことができる。
ステップｂ２９において、試聴用音楽情報データを読み出したことを内容とする試聴情報を端末記憶手段３３に記憶する。
ステップｂ３０において、楽曲を試聴した利用者が楽曲を購入するか否かを、利用者の入力する入力データに基づいて判断し、利用者の入力データが音楽情報である楽曲の購入ではないと判断する場合、ステップｂ３１に進み、利用者の入力データが音楽情報である楽曲の購入であると判断する場合、ステップｂ２７に進む。
ステップｂ３１において、さらに音楽情報である他の楽曲を選定するのか否かを、利用者の入力する入力データに基づいて判断し、利用者の入力データが他の音楽情報を選定すると判断する場合、ステップｂ２３に進み、利用者の入力データが他の音楽情報を選定しないと判断する場合、ステップｂ３２に進む。
利用者が楽曲を購入する場合、ステップｂ２７において、音楽情報である楽曲の料金を徴収し、ステップｂ３３において、選定された楽曲に対応する音楽情報データを端末記憶手段３３から読み出し、ステップｂ３４において、音楽用情報端末装置３０にコネクタ３９，４１によって電気的に接続された音楽情報記憶媒体４０に音楽情報データを書き込む。
ステップｂ３５において、音楽情報データの販売に関する情報である販売情報を端末記憶手段３３に記憶し、ステップｂ３１に進む。
ステップｂ３２において、端末記憶手段３３に記憶された試聴情報および販売情報のうち少なくとも一方を含む端末情報を音楽配信サーバ２０に送信する。
図７は、音楽用情報端末装置３０から送信される端末情報を受信する音楽配信サーバ２０の動作を示すフローチャートである。ステップａ２１において、音楽配信サーバ２０は音楽用情報端末装置３０から送信される端末情報を受信し、ステップａ２２において、受信した端末情報をサーバ記憶手段２３に記憶する。このようにして受信した端末情報には、たとえば楽曲の販売促進のためにデモ演奏した回数、ＰＶの放映回数、告知したイベント情報の内容、楽曲の試聴回数および販売量等が含まれ、この端末情報に基づいて、販売金額の集計および著作権料の管理、以後の販売促進計画の立案等を容易に行うことができる。
図８は、音楽配信サーバ２０から配信される音楽を音楽情報出力装置５０を用いて出力する動作を示すフローチャートである。音楽配信サーバ２０から配信される音楽は、音楽用情報端末装置３０を用いて、音楽情報記憶媒体４０に書き込まれ、音楽情報が書き込まれた音楽情報記憶媒体４０を音楽情報出力装置５０に装着して、音楽情報出力装置５０によって読み出されてアナログ音声信号として再生される。
ステップｃ１において、音楽情報出力装置５０が、音楽情報が書き込まれた音楽情報記憶媒体４０を認識し、音楽情報記憶媒体４０固有の識別記号である識別情報を取得し、ステップｃ２において、使用可能な正規の音楽情報記憶媒体４０であるか否かを記憶媒体識別手段５１が判断する。
音楽情報記憶媒体４０が使用可能な正規の音楽情報記憶媒体４０であると判断される場合ステップｃ３に進み、ステップｃ３において、音楽情報識別手段５２が音楽情報記憶媒体４０に記憶された音楽情報データが出力可能な正規の音楽情報データであるか否かを判断する。
音楽情報記憶媒体４０に記憶された音楽情報データが出力可能な正規の音楽情報データであると判断する場合ステップｃ５に進み、ステップｃ７において、音楽情報を再生して出力する。
ステップｃ２において、音楽情報記憶媒体４０が使用可能な正規の音楽情報記憶媒体４０であると判断しない場合ステップｃ４に進み、エラーメッセージを表示して終了する。
ステップｃ５において、音楽情報記憶媒体４０に記憶された音楽情報データが出力可能な正規の音楽情報データであると判断しない場合ステップｃ６に進み、エラーメッセージを表示して終了する。
さらに図９を参照して、音楽配信システム１０の概要を説明する。図９は、音楽配信システム１０の概要をさらに具体的に示す概要図である。前述のとおり、音楽配信サーバ２０は、通信網１１を介して音楽用情報端末装置３０に接続されており、サーバ記憶手段２３に含まれる配信用マスタ７０に記憶された楽曲データである音楽情報を音楽用情報端末手段３３固有の識別記号７１が含まれた端末識別情報に基づいて暗号化された音楽情報データを音楽用情報端末装置３０に送信する。音楽情報データの暗号化の前提として、音楽用情報端末装置３０固有の識別記号７１が含まれる端末装置識別情報は通信網１１を介して音楽用情報端末装置３０から取得する。暗号化された音楽情報データを復号するための暗号キー７２は、通信網１１を介して音楽用情報端末装置３０に送信されており、音楽用情報端末装置３０は、この暗号キー７２を用いて暗号化された音楽情報データを復号して、出力することができる。
したがって、音楽用情報端末装置３０を用いて端末記憶手段３３に記憶した音楽情報データを、他の端末記憶手段にたとえば電子的にコピーした場合であっても、コピー先の端末記憶手段を音楽用情報端末装置３０に装着して、記憶された音楽情報データを出力することができない。
音楽用情報端末装置３０に装着され、音楽情報データが記憶される端末記憶手段３３固有の識別記号を含む記憶手段識別情報は、音楽用情報端末装置３０に備えられたＩＤ内蔵ＬＳＩ８０を介して、端末装置識別情報とともに音楽配信サーバ２０に送信される。
音楽用情報端末装置３０にコネクタ３９，４１を介して接続され、音楽情報データが書き込まれる音楽情報記憶媒体４０への音楽情報データの書き込みにおいても、音楽情報記憶媒体４０固有の識別記号７５が含まれた記憶媒体識別情報に基づいて暗号化された音楽情報データが音楽情報記憶媒体４０に書き込まれる。音楽情報データの暗号化の前提として、音楽情報記憶媒体４０固有の識別記号７５が含まれる記憶媒体識別情報は、音楽用情報端末装置３０が音楽情報記憶媒体４０から取得している。暗号化された音楽情報データを復号するための暗号キー７６は、音楽情報出力装置５０が取得しており、音楽用情報出力装置５０は、この暗号キー７６を用いて暗号化された音楽情報データを復号して、出力することができる。
したがって、たとえば音楽情報記憶媒体４０に書き込まれた音楽情報データを他の音楽情報記憶媒体４９に電子的にコピーした場合、コピー先の音楽情報記憶媒体４９を音楽情報出力装置５０に装着しても、記憶媒体識別記号７９がことなるので、暗号化された記憶情報データを復号することができず、再生して出力することができない。
以上のように、音楽配信システム１０においては、音楽情報データの暗号化処理ならびに音楽用情報端末装置３０、端末記憶手段３３、音楽情報記憶媒体４０および音楽情報出力装置５０の各識別記号を含む各識別情報を確認することによって、音楽情報データの盗用および漏洩を防止することができ、たとえば著作権を好適に保護することができる。
図１０は、音楽用情報端末装置１０の電気的構成を示すブロック図である。。一般公衆回線などで実現される通信網１１には、音楽用情報端末装置３０の端末送受信手段３４であるモデムが接続され、音楽配信サーバ２０から音楽情報データを受信するとともに、端末情報データを音楽配信サーバ２０に送信することができる。端末送受信手段３４であるモデムは、マイクロコンピュータなどによって実現される端末制御手段３１に接続される。この端末制御手段３１は、端末入力手段３５に接続されて、その端末入力手段３５からの出力信号が与えられる。端末制御手段３１の出力は、グラフィックスコントローラ１０１に与えられ、Ｄ／Ａ変換器１０２を介して端末表示手段３６であるテレビモニタに表示される。端末制御手段３１からの出力信号が、ＮＴＳＣ（ｎａｔｉｏｎａｌ　ｔｅｌｅｖｉｓｉｏｎ　ｓｙｓｔｅｍ　ｃｏｍｍｉｔｔｅｅ）規格、ＰＡＬ（ｐｈａｓｅ　ａｌｔｅｒａｔｉｏｎ　ｂｙ　ｌｉｎｅ）規格であっても、それぞれの方式によって変換されて端末出力手段３６にたとえば映像が表示される。また端末制御手段３１からの出力信号が、ＭＰＥＧ（ｍｏｖｉｎｇ　ｐｉｃｔｕｒｅ　ｃｏｄｉｎｇ　ｅｘｐｅｒｔｓ　ｇｒｏｕｐ）規格のデータである場合にはＭＰＥＧデコード部１０３を介してグラフィックスコントローラ１０１に与えられる。
端末制御手段３１はまた、サウンドコントローラ１０４、Ｄ／Ａ変換器１０５、オーディオアンプ１０６を介して、端末出力手段３６であるスピーカが接続されて音響出力される。また端末制御手段３１からの出力信号が、ＭＩＤＩ（ｍｕｓｉｃａｌ　ｉｎｓｔｒｕｍｅｎｔ　ｄｉｇｉｔａｌ　ｉｎｔｅｒｆａｃｅ）規格のデータである場合には、ＭＩＤＩ音源装置１０７を介してサウンドコントローラ１０４に与えられる。さらに端末制御手段３１からの出力信号が音響信号演算回路１０８を介してサウンドコントローラ１０４に与えられる場合がある。
端末制御手段３１さらには、ＩＤＥ（ｉｎｔｅｇｒａｔｅｄ　ｄｒｉｖｅ　ｅｌｅｃｔｒｏｎｉｃｓ）インターフェイス１０９を介して端末記憶手段３３であるＨＤＤ（ｈａｒｄ　ｄｉｓｃ　ｄｒｉｖｅ）に接続され、これによってＨＤＤを回転駆動する駆動回路の動作が制御される。
さらにまた制御手段３１は、ＰＣＭＣＩＡ（ｐｅｒｓｏｎａｌ　ｃｏｍｐｕｔｅｒ　ｍｅｍｏｒｙ　ｃａｒｄ　ｉｎｔｅｒｆａｃｅ　ａｓｓｏｃｉａｔｉｏｎ）インターフェイス１１０およびＵＳＢ（ｕｎｉｖｅｒｓａｌ　ｓｅｒｉａｌ　ｂｕｓ）インターフェイス１１１が接続され、ＰＣＭＣＩＡインターフェイス１１０を介して、フラッシュメモリーカード、スマートメディア、ＳＤメモリカードなどの音楽情報記憶媒体４０が接続され、音楽情報記憶媒体４０に音楽情報データを書き込むことができる。またＰＣＭＣＩＡインターフェイス１１０およびＰＣＭＣＩＡ規格に対応するＰＣカードが装着されるＰＣカードスロット１１２に装着されるＰＣカードを介して、携帯電話、ＰＨＳ（ｐｅｒｓｏｎａｌ　ｈａｎｄｙｐｈｏｎｅ　ｓｙｓｔｅｍ）、衛星ケーブルテレビなどの音楽情報出力装置５０を用いて音楽情報を出力することができる。
本発明は、その精紳または主要な特徴から逸脱することなく、他のいろいろな形で実施することができる。したがって、前述の実施形態は、あらゆる点で単なる例示に過ぎず、本発明の範囲は、請求の範囲に示すものであって、明細書本文には何ら拘束されない。
さらに、請求の範囲の均等範囲に属する変形や変更は、全て本発明の範囲内のものである。
【産業上の利用可能性】
請求項１記載の本発明によれば、音楽配信システムは、通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを備え、前記音楽用情報端末装置に記憶された音楽情報を読み出して音楽情報記憶媒体に書き込み、該音楽情報記憶媒体に書き込まれた音楽情報を音楽情報出力装置を用いて出力することができる。
音楽配信サーバは公衆電話回線などの通信網を介して各種音楽情報を配信するので、楽曲および楽音等の音響データ、たとえばプロモーションビデオ（ＰＶ）等の楽曲に関する販売促進用の音響データおよび画像データならびに各種イベント情報等の各種音楽情報を音楽用情報端末装置に配信することができる。
音楽用情報端末装置は音楽配信サーバから配信される音楽情報を受信して、受信した音楽情報を音楽用情報端末装置に備えられたハードディスクなどの音楽情報記憶手段に記憶し、たとえば音楽用情報端末装置の設置された店舗内において、各種音楽情報に含まれるＰＶ等の楽曲に関する販売促進用の音響データおよび画像データならびに各種イベント情報等の各種音楽情報を放映または表示させることができる。また配信された楽曲等を購入しようとする顧客に、楽曲を視聴させることができる。
楽曲を購入しようとする顧客は、たとえばコンパクトディスク、スマートメディア、メモリースティック等の音楽情報記憶媒体を音楽用情報端末装置に装着し、音楽情報記憶手段から読み出した音楽情報を前記音楽情報記憶媒体に書き込み、この音楽情報記憶媒体を音楽情報出力装置に装着して、音楽情報記憶媒体に書き込まれたデジタルデータ化された楽曲などの音楽情報を再生して、楽曲を聴くことができる。
また請求項２記載の本発明によれば、音楽配信サーバは音楽情報の配信先である音楽用情報端末装置および音楽用情報端末装置の音楽情報記憶手段を認識することができる。したがって予め定められた音楽用情報端末装置および音楽情報記憶手段にだけ音楽情報が配信されることになるので、音楽情報が配信されるべき正規の音楽用端末情報装置および音楽情報記憶手段に音楽情報が配信され、たとえば音楽情報の不正受信を防止できる。
さらに請求項３記載の本発明によれば、音楽用情報端末装置は配信された音楽情報および音楽情報が記憶される音楽情報記憶手段を認識することができる。したがってたとえば特定の音楽用情報端末装置によって受信された音楽情報または特定の音楽情報記憶手段に記憶された音楽情報を他の音楽用情報端末装置を用いては出力できないように設定することができる。
さらにまた請求項４記載の本発明によれば、音楽情報出力装置は音楽情報が書き込まれた音楽情報記憶媒体および音楽情報記憶媒体に書き込まれた音楽情報を認識することができる。したがって、たとえば特定の音楽情報記憶媒体または特定の音楽情報を他の音楽用情報出力装置を用いては出力できないように設定することができる。
さらにまた請求項５記載の本発明によれば、特定の音楽用情報端末装置に特定の音楽情報を配信することができる。したがって、たとえば特定の地域において開催されるイベントに関するイベント情報等のように、特定の地域の顧客にだけ有効な音楽情報を特定の地域に設置されている音楽用情報端末装置に配信することができ、効率のよい告知効果の高い音楽情報の配信を実現することができる。
さらにまた請求項６記載の本発明によれば、読み出され音楽情報記憶媒体に書き込まれた音楽情報である特定の楽曲に関する売り上げ金額等である端末装置情報を音楽配信サーバに送信することができる。送信された端末装置情報を音楽配信サーバまたは他の情報処理装置を利用して処理を行い、売り上げ金額の集計を行うことができる。また読み出され音楽情報記憶媒体に書き込まれた音楽情報である特定の楽曲に関する著作権料の管理を容易に行うことができる。
さらにまた請求項７記載の本発明によれば、音楽配信における音楽情報の送信の際のデータサイズを小さくすることができ、または音楽配信における音楽情報の送信の際に音楽情報が漏洩した場合であっても、暗号化された音楽情報が解読され復号されない限り、楽曲などの音楽著作物が不正に再生され、利用されることを防止できる。
さらにまた請求項８記載の本発明によれば、異なる形状のコネクタを有する音楽情報記憶媒体に音楽情報を書き込むことができる。たとえば、音楽用情報端末装置に備えられたコネクタと接続できる形状のコネクタを備えた音楽情報記憶媒体に音楽情報を書き込む場合には、音楽用情報端末装置のコネクタに音楽情報記憶媒体のコネクタを直接接続し、音楽情報を音楽情報記憶媒体に書き込むことができる。音楽用情報端末装置に備えられたコネクタと直接接続できない形状のコネクタを備えた音楽情報記憶媒体に音楽情報を書き込む場合には、音楽用情報端末装置のコネクタに接続できるコネクタおよび音楽情報記憶媒体のコネクタに直接接続できる形状の他のコネクタを有するアダプタを、音楽用情報端末装置のコネクタと音楽情報記憶媒体のコネクタとの間に設置し、音楽用情報端末装置と音楽情報記憶媒体とを前述のようなアダプタを介して間接的に接続し、音楽情報を音楽情報記憶媒体に書き込むことができる。すなわち音楽用情報端末装置の音楽情報記憶手段に記憶された音楽情報を、簡単な操作で異なる形状のコネクタを有する種々の音楽情報記憶媒体に書き込むことができる。
さらにまた請求項９記載の本発明によれば、通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを用い、前記音楽用情報端末装置に記憶された音楽情報を読み出して音楽情報記憶媒体に書き込み、該音楽情報記憶媒体に書き込まれた音楽情報を音楽情報出力装置を用いて出力することができる。
音楽配信サーバは公衆電話回線などの通信網を介して各種音楽情報を配信するので、楽曲および楽音等の音響データ、たとえばＰＶ等の楽曲に関する販売促進用の音響データおよび画像データならびに各種イベント情報等の各種音楽情報を音楽用情報端末装置に配信することができる。
音楽用情報端末装置は音楽配信サーバから配信される音楽情報を受信して、受信した音楽情報を音楽用情報端末装置に備えられたハードディスクなどの音楽情報記憶手段に記憶し、たとえば音楽用情報端末装置の設置された店舗内において、各種音楽情報に含まれるＰＶ等の楽曲に関する販売促進用の音響データおよび画像データならびに各種イベント情報等の各種音楽情報を放映または表示させることができる。また配信された楽曲等を購入しようとする顧客に、楽曲を視聴させることができる。
楽曲を購入しようとする顧客は、たとえばコンパクトディスク、スマートメディア、メモリースティック等の音楽情報記憶媒体を音楽用情報端末装置に装着し、音楽情報記憶手段から読み出した音楽情報を前記音楽情報記憶媒体に書き込み、この音楽情報記憶媒体を音楽情報出力装置に装着して、音楽情報記憶媒体に書き込まれたデジタルデータ化された楽曲などの音楽情報を再生して、楽曲を聴くことができる。
さらにまた請求項１０記載の本発明によれば、音楽配信サーバは音楽情報の配信先である音楽用情報端末装置および音楽用情報端末装置の音楽情報記憶手段を認識することができる。したがって予め定められた音楽用情報端末装置および音楽情報記憶手段にだけ音楽情報が配信されることになるので、音楽情報が配信されるべき正規の音楽用端末情報装置および音楽情報記憶手段に音楽情報が配信され、たとえば音楽情報の不正受信を防止できる。
さらにまた請求項１１記載の本発明によれば、音楽用情報端末装置は配信された音楽情報および音楽情報が記憶される音楽情報記憶手段を認識することができる。したがってたとえば特定の音楽用情報端末装置によって受信された音楽情報または特定の音楽情報記憶手段に記憶された音楽情報を他の音楽用情報端末装置を用いては出力できないように設定することができる。
さらにまた請求項１２記載の本発明によれば、音楽情報出力装置は音楽情報が書き込まれた音楽情報記憶媒体および音楽情報記憶媒体に書き込まれた音楽情報を認識することができる。したがって、たとえば特定の音楽情報記憶媒体または特定の音楽情報を他の音楽用情報出力装置を用いては出力できないように設定することができる。
さらにまた請求項１３記載の本発明によれば、特定の音楽用情報端末装置に特定の音楽情報を配信することができる。したがって、たとえばイベント情報等の特定の地域の顧客にだけ有効な音楽情報を特定の地域に設置されている音楽用情報端末装置に配信することができ、告知効果の高い音楽情報の配信を実現することができる。
さらにまた請求項１４記載の本発明によれば、読み出され音楽情報記憶媒体に書き込まれた音楽情報である特定の楽曲に関する売り上げ金額等である端末装置情報を音楽配信サーバに送信することができる。送信された端末装置情報を音楽配信サーバまたは他の情報処理装置を利用して処理を行い、売り上げ金額の集計を行うことができる。また読み出され音楽情報記憶媒体に書き込まれた音楽情報である特定の楽曲に関する著作権料の管理を容易に行うことができる。
さらにまた請求項１５記載の本発明によれば、通信網を介して音楽に関する情報である音楽情報を配信することができる音楽配信サーバと、前記音楽配信サーバによって配信される音楽情報を受信し受信した音楽情報を記憶するとともに音楽情報を出力することができる音楽用情報端末装置とを用い、前記音楽用情報端末装置に記憶された音楽情報を読み出して音楽情報記憶媒体に書き込み、該音楽情報記憶媒体に書き込まれた音楽情報を音楽情報出力装置を用いて出力することができる。
本発明によると、配信される音楽情報を音楽用情報端末装置の音楽情報記憶手段に記憶して蓄積することができ、音楽用情報端末装置を用いて音楽情報であるたとえば楽曲を試聴し、楽曲をデモンストレーション演奏し、楽曲に関するプロモーション情報を表示し、楽曲を販売することができる。
さらにまた請求項１６記載の本発明によると、音楽配信サーバが配信する音楽情報を選定し、音楽情報を配信する配信先である音楽用情報端末装置を選定し、選定された音楽用情報端末装置が音楽情報を配信すべき音楽用情報端末装置であることを確認し、配信する音楽情報が記憶される音楽情報記憶媒体が音楽情報を記憶すべき音楽情報記憶手段であることを確認し、選定された音楽情報を選定された音楽用情報端末装置に配信し、配信された音楽情報を音楽用情報端末装置が備える音楽情報記憶手段に記憶し、音楽情報記憶手段に記憶された音楽情報が音楽配信サーバから配信された音楽情報であることを確認し、音楽情報記憶手段が音楽配信サーバから配信された音楽情報を記憶する際に用いられた音楽情報記憶手段であることを確認し、音楽情報記憶手段に記憶された音楽情報を少なくとも音響データ、画像データおよび文字データのいずれか１つ以上を含む音楽情報として出力し、音楽情報記憶手段に記憶された音楽情報のうち読み出す音楽情報を選定し、選定された音楽情報を音楽情報記憶手段から読み出して読み出した音楽情報を音楽情報記憶媒体に書き込み、音楽情報記憶媒体に書き込まれた音楽情報に関する情報を含む端末装置情報を音楽配信サーバに送信し、音楽情報記憶媒体に書き込まれた音楽情報が音楽情報書き込みステップにおいて音楽情報記憶媒体に書き込まれた音楽情報であることを確認し、音楽情報が書き込まれた音楽情報記憶媒体が音楽情報書き込みステップにおいて音楽情報が書き込まれた音楽情報記憶媒体であることを確認し、音楽情報記憶媒体に書き込まれた音楽情報を音楽情報出力装置を用いて出力することができる。
さらにまた請求項１７記載の本発明によると、音楽配信における音楽情報の送信の際のデータサイズを小さくすることができ、または音楽配信における音楽情報の送信の際に音楽情報が漏洩した場合であっても、暗号化された音楽情報が解読され復号されない限り、楽曲などの音楽著作物が不正に再生され、利用されることを防止できる。
さらにまた請求項１８記載の本発明によると、異なる形状のコネクタを有する音楽情報記憶媒体に音楽情報を書き込むことができる。たとえば、音楽用情報端末装置に備えられたコネクタと接続できる形状のコネクタを備えた音楽情報記憶媒体に音楽情報を書き込む場合には、音楽用情報端末装置のコネクタに音楽情報記憶媒体のコネクタを直接接続し、音楽情報を音楽情報記憶媒体に書き込むことができる。音楽用情報端末装置に備えられたコネクタと直接接続できない形状のコネクタを備えた音楽情報記憶媒体に音楽情報を書き込む場合には、音楽用情報端末装置のコネクタに接続できるコネクタおよび音楽情報記憶媒体のコネクタに直接接続できる形状の他のコネクタを有するアダプタを、音楽用情報端末装置のコネクタと音楽情報記憶媒体のコネクタとの間に設置し、音楽用情報端末装置と音楽情報記憶媒体とを前述のようなアダプタを介して間接的に接続し、音楽情報を音楽情報記憶媒体に書き込むことができる。すなわち音楽用情報端末装置の音楽情報記憶手段に記憶された音楽情報を、簡単な操作で異なる形状のコネクタを有する種々の音楽情報記憶媒体に書き込むことができる。
さらにまた請求項１９記載の本発明によると、音楽用情報端末装置は、音楽配信サーバから配信される音楽情報を受信し、受信した音楽情報を記憶し、記憶手段に記憶された音楽情報を少なくとも音響データ、画像データおよび文字データのいずれか１つ以上を含む音楽情報として出力し、記憶手段に記憶された音楽情報のうち読み出す音楽情報を選定し、選定された音楽情報を読み出し、読み出された音楽情報を音楽情報記憶媒体に書き込み、音楽情報記憶媒体に書き込まれた音楽情報を含む端末装置情報を音楽配信サーバに送信することができる。
さらにまた請求項２０記載の本発明によると、音楽用情報端末装置は配信された音楽情報および音楽情報が記憶される音楽情報記憶手段を認識することができる。したがってたとえば特定の音楽用情報端末装置によって受信された音楽情報または特定の音楽情報記憶手段に記憶された音楽情報を他の音楽用情報端末装置を用いては出力できないように設定することができる。
さらにまた請求項２１記載の本発明によると、異なる形状のコネクタを有する音楽情報記憶媒体に音楽情報を書き込むことができる。たとえば、音楽用情報端末装置に備えられたコネクタと接続できる形状のコネクタを備えた音楽情報記憶媒体に音楽情報を書き込む場合には、音楽用情報端末装置のコネクタに音楽情報記憶媒体のコネクタを直接接続し、音楽情報を音楽情報記憶媒体に書き込むことができる。音楽用情報端末装置に備えられたコネクタと直接接続できない形状のコネクタを備えた音楽情報記憶媒体に音楽情報を書き込む場合には、音楽用情報端末装置のコネクタに接続できるコネクタおよび音楽情報記憶媒体のコネクタに直接接続できる形状の他のコネクタを有するアダプタを、音楽用情報端末装置のコネクタと音楽情報記憶媒体のコネクタとの間に設置し、音楽用情報端末装置と音楽情報記憶媒体とを前述のようなアダプタを介して間接的に接続し、音楽情報を音楽情報記憶媒体に書き込むことができる。すなわち音楽用情報端末装置の音楽情報記憶手段に記憶された音楽情報を、簡単な操作で異なる形状のコネクタを有する種々の音楽情報記憶媒体に書き込むことができる。
以上のように本発明によれば、音楽配信において送受信される楽曲等に関する著作権を確実に保護するとともに、著作権料の管理を容易に行うことができる。また、通信網を介して行われる音楽配信において支払われるべき楽曲等の対価である料金の支払いを不安を感じることなく、簡単な方法で行うことができるとともに、確実に料金を徴収することができる。さらに、通信網を介して行われる音楽配信において伝送されるデータ量を少なくし、通信網の通信負荷を低減することができる。さらにまた、多くの人々に楽曲等に関する販売促進情報を含む音楽情報を効率よく告知することができる。
【図面の簡単な説明】
本発明とこれらの目的とそれ以外の目的と、特色と利点とは、下記の詳細な説明と図面とから一層明確になるであろう。
図１は、本発明の実施の形態の音楽配信システム１０の構成を簡略して示す構成図である。
図２は、本発明の実施の形態の音楽情報配信方法に適用される音楽配信システム１０の基本的な動作を簡略して示す動作説明図である。
図３は、音楽配信サーバ２０が音楽用情報端末装置３０に配信すべき音楽情報を配信する際の音楽配信サーバ２０の動作を示すフローチャートである。
図４は、音楽配信サーバ２０から音楽情報を受信する音楽用情報端末装置３０の動作を示すフローチャートである。
図５は、端末記憶手段３３に記憶されている各種音楽情報を端末出手段３５を用いて出力する際の動作を示すフローチャートである。
図６は、音楽用情報端末装置３０の端末記憶手段３３に記憶されている音楽情報を販売する際の音楽用情報端末装置３０の動作を示すフローチャートである。
図７は、音楽用情報端末装置３０から送信される端末情報を受信する音楽配信サーバ２０の動作を示すフローチャートである。
図８は、音楽配信サーバ２０から配信される音楽を音楽情報出力装置５０を用いて出力する動作を示すフローチャートである。
図９は、音楽配信システム１０の概要をさらに具体的に示す概要図である。
図１０は、音楽用情報端末装置１０の電気的構成をブロック図である。
【図１】
2002041297.tif 000003
【図２】
2002041297.tif 000004
【図３】
2002041297.tif 000005
【図４】
2002041297.tif 000006
【図５】
2002041297.tif 000007
【図６】
2002041297.tif 000008
【図７】
2002041297.tif 000009
【図８】
2002041297.tif 000010
【図９】
2002041297.tif 000011
【図１０】
2002041297.tif 000012
【国際調査報告】
2002041297.tif 000013
2002041297.tif 000014
2002041297.tif 000015
2002041297.tif 000016